(57)【要約】衝突を回避するための方法および装置。衝突は、サブフレームの第１のセットをバックホールリンク伝送に配分し、サブフレームの第２のセットをアクセスリンク伝送に配分することによって回避されうる。一例では、サブフレームの第２のセットは、サブフレームの第１のセットに関してサブフレームの重なり合わないセットであってもよい。第２の実施形態では、衝突は、ｅＮＢ（ｅｖｏｌｖｅｄ  Ｎｏｄｅ−Ｂ）からデータ伝送を受信し、ＵＬ（アップリンク）グラントをＷＴＲＵ（ワイヤレス送信／受信ユニット）に、また第１のＡＣＫ（肯定確認応答）をｅＮＢに送信することによって回避されうる。伝送は、受信したデータ伝送に応答するものとであってよい。ＲＮは、自動ＡＣＫをＷＴＲＵにさらに送信し、第２のＵＬグラントをＷＴＲＵに送信することによって衝突を回避できる。第３の実施形態では、アクセスリンク伝送とバックホールリンク伝送との間の衝突は、衝突を検出し、衝突発生タイプに基づきインターフェース優先度を決定することによって回避されうる。
2012530470.tif 000002
【特許請求の範囲】
【請求項１】
アクセスリンク伝送とバックホールリンク伝送との間の衝突を回避するためにＲＮ（中継ノード）において実行される方法であって、
サブフレームの第１のセットを前記バックホールリンク伝送に配分するステップと、
サブフレームの第２のセットを前記アクセスリンク伝送に配分するステップであって、サブフレームの前記第２のセットは、サブフレームの前記第１のセットに関してサブフレームの重なり合わないセットである、ステップと
を備えることを特徴とする方法。
【請求項２】
サブフレームの前記第１のセットとサブフレームの前記第２のセットの前記配分は、周期的パターンであり、前記周期的パターンは、５つのサブフレームを含むことを特徴とする請求項１に記載の方法。
【請求項３】
５つのサブフレームの周期的パターンは３つのアクセスリンク伝送サブフレームとその後に続く２つのバックホールリンク伝送サブフレームとを含むことを特徴とする請求項２に記載の方法。
【請求項４】
ＡＣＫ／ＮＡＣＫ（肯定確認応答／否定確認応答）待ち時間を４ミリ秒（ｍｓ）から５ｍｓに修正するステップ
をさらに備えることを特徴とする請求項１に記載の方法。
【請求項５】
サブフレームの第３のセットをｅＮＢ（ｅｖｏｌｖｅｄ  Ｎｏｄｅ−Ｂ）とＷＴＲＵ（ワイヤレス送信／受信ユニット）との間のトラヒックに配分するステップ
をさらに備えることを特徴とする請求項１に記載の方法。
【請求項６】
サブフレームの第４のセットに対し、初期ＷＴＲＵ（ワイヤレス送信／受信ユニット）ＵＬ（アップリンク）グラントを禁じるステップと、
サブフレームが前記バックホールリンク伝送に配分されるという条件の下で、サブフレームｎ＋４においてＡＣＫ／ＮＡＣＫ（肯定確認応答／否定確認応答）フィードバックを送信するステップと、
前記サブフレームが前記バックホールリンク伝送に配分されないという条件の下で、第１の利用可能なバックホールサブフレームにおいてＡＣＫ／ＮＡＣＫフィードバックを送信するステップと
をさらに備えることを特徴とする請求項１に記載の方法。
【請求項７】
前記サブフレームは、サブフレーム２またはサブフレーム３であることを特徴とする請求項６に記載の方法。
【請求項８】
アクセスリンク伝送とバックホールリンク伝送との間の衝突を回避するためにＲＮ（中継ノード）において実行される方法であって、
ｅＮＢ（ｅｖｏｌｖｅｄ  Ｎｏｄｅ−Ｂ）からデータ伝送を受信するステップと、
ＵＬ（アップリンク）グラントをＷＴＲＵ（ワイヤレス送信／受信ユニット）に、第１のＡＣＫ（肯定確認応答）を前記ｅＮＢに送信するステップであって、前記送信することは前記受信されたデータ伝送に応答して行われる、ステップと、
自動ＡＣＫを前記ＷＴＲＵに送信するステップと、
第２のＵＬグラントを前記ＷＴＲＵに送信するステップと
を備えることを特徴とする方法。
【請求項９】
前記自動ＡＣＫは、前記ＷＴＲＵからのデータ伝送を受け損なったという条件の下で送信されることを特徴とする請求項８に記載の方法。
【請求項１０】
前記自動ＡＣＫは、前記ＷＴＲＵからデータ伝送を受信したという条件の下で送信されることを特徴とする請求項８に記載の方法。
【請求項１１】
アクセスリンク伝送とバックホールリンク伝送との間の衝突を回避するためにＲＮ（中継ノード）において実行される方法であって、
衝突を検出するステップと、
衝突発生タイプに基づきインターフェース優先度を決定するステップと
を備えることを特徴とする方法。
【請求項１２】
前記衝突発生タイプは、ＵｕリンクＵＬ（アップリンク）ＣＳＲ（チャネルサウンディング応答）とＵｎリンクＵＬデータとの衝突であり、前記方法は、
Ｕｕリンクより高くＵｎリンクを優先順位付けするステップと、
Ｕｎリンクの上でデータをｅＮＢ（ｅｖｏｌｖｅｄ  Ｎｏｄｅ−Ｂ）に送信し、前記ＣＳＲがＵｕリンク上で失敗することを許すステップと
をさらに備えることを特徴とする請求項１１に記載の方法。
【請求項１３】
前記衝突発生タイプは、ＵｕリンクＵＬ（アップリンク）ＡＣＫ／ＮＡＣＫ（肯定確認応答／否定確認応答）とＵｎリンクＵＬデータとの衝突であり、前記方法は、
前記ＵｕリンクがＡＣＫ／ＮＡＣＫの繰り返しに対して構成されているという条件の下で、Ｕｕリンクより高くＵｎリンクを優先順位付けするステップと、
Ｕｎリンクの上でデータをｅＮＢ（ｅｖｏｌｖｅｄ  Ｎｏｄｅ−Ｂ）に送信するステップと
をさらに備えることを特徴とする請求項１１に記載の方法。
【請求項１４】
前記衝突発生タイプは、ＵｕリンクＵＬ（アップリンク）データとＵｎリンクＵＬ  ＡＣＫ／ＮＡＣＫ（肯定確認応答／否定確認応答）フィードバックとの衝突であり、前記方法は、
ＵＬバッファおよびＤＬ（ダウンリンク）バッファ内に格納されているデータの量、スペクトル効率要件、およびＱｏＳ（サービス品質）要件のうちの少なくとも１つに基づきインターフェース優先度を決定するステップ
をさらに備えることを特徴とする請求項１１に記載の方法。
【請求項１５】
前記衝突発生タイプは、ＵｕリンクＵＬ（アップリンク）データとＵｎリンクＵＬデータとの衝突であり、前記方法は、
バッファステータスに基づきインターフェース優先度を動的に割り当てるステップ
をさらに備えることを特徴とする請求項１１に記載の方法。
【請求項１６】
アクセスリンク伝送とバックホールリンク伝送との間の衝突を回避するためのＲＮ（中継ノード）であって、
サブフレームの第１のセットを前記バックホールリンク伝送に配分し、
サブフレームの第２のセットを前記アクセスリンク伝送に配分する
ように構成されるプロセッサを備え、サブフレームの前記第２のセットはサブフレームの前記第１のセットに関してサブフレームの重なり合わないセットであることを特徴とするＲＮ。
【請求項１７】
アクセスリンク伝送とバックホールリンク伝送との間の衝突を回避するためのＲＮ（中継ノード）であって、
ｅＮＢ（ｅｖｏｌｖｅｄ  Ｎｏｄｅ−Ｂ）からデータ伝送を受信するように構成された受信機と、
前記受信されたデータ伝送に応答してＵＬ（アップリンク）グラントをＷＴＲＵ（ワイヤレス送信／受信ユニット）に、第１のＡＣＫ（肯定確認応答）を前記ｅＮＢに送信し、
自動ＡＣＫを前記ＷＴＲＵに送信し、
第２のＵＬグラントを前記ＷＴＲＵに送信する
ように構成されている送信機と
を備えることを特徴とするＲＮ。
【請求項１８】
アクセスリンク伝送とバックホールリンク伝送との間の衝突を回避するためのＲＮ（中継ノード）であって、
衝突を検出し、
衝突発生タイプに基づきインターフェース優先度を決定する
ように構成されるプロセッサを備えることを特徴とするＲＮ。
【請求項１９】
前記プロセッサは、リソースのクロススケジューリングを実行するようにさらに構成され、前記ＲＮは、サブフレームｎにおいてＤＬ（ダウンリンク）グラントを送信するように構成される送信機をさらに備え、前記サブフレームｎはサブフレームｎ＋ｋにおいて有効であることを特徴とする請求項１８に記載のＲＮ。
【請求項２０】
前記プロセッサは、リソースのクロススケジューリングを実行するようにさらに構成され、前記ＲＮは、
ＨＡＲＱ（ハイブリッド自動再送要求）タイミングを基準点として使用してサブフレームｎにおいてＤＬ（ダウンリンク）グラントを送信するように構成されている送信機をさらに備えることを特徴とする請求項１８に記載のＲＮ。
【発明の詳細な説明】
【技術分野】
【０００１】
関連出願の相互参照
本出願は、参照により本明細書に組み込まれている、２００９年６月１６日に出願した米国仮出願第６１／１８７，５３４号明細書および２００９年８月１４日に出願した米国仮出願第６１／２３３，８８２号明細書の利益を主張するものである。
【０００２】
本出願は、ワイヤレス通信に関するものである。
【背景技術】
【０００３】
より高いデータ伝送速度およびスペクトル効率をサポートするために、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）システムが導入された。ＬＴＥが目指すのは、高いデータ伝送速度、待ち時間の短縮、ＱｏＳ（サービス品質）の向上、通信事業者向けの低コスト化、およびコスト効率のロールアウトを実現することである。ＬＴＥ  Ａｄｖａｎｃｅｄ（ＬＴＥ−Ａ）システムでは、より高いデータ伝送速度、待ち時間の短縮、およびＱｏＳの向上を実現するために、いくつかの技術要素を考えることができる。これらの技術要素としては、例えば、帯域幅拡張、スペクトルアグリゲーション、拡張マルチアンテナソリューション（ｅｘｔｅｎｄｅｄ  ｍｕｌｔｉ−ａｎｔｅｎｎａ  ｓｏｌｕｔｉｏｎｓ）、協調マルチポイント伝送（ｃｏｏｒｄｉｎａｔｅｄ  ｍｕｌｔｉｐｏｉｎｔ  ｔｒａｎｓｍｉｓｓｉｏｎ）、およびリピーター／中継機能が挙げられる。
【０００４】
中継機能は、ＬＴＥ−Ａ向けに、例えば、高いデータ伝送速度のカバレッジ、グループモビリティ、一時的なネットワーク構築、セル端スループットを改善し、および／または新規エリア内のカバレッジを実現するための手段であるものとして考えることができる。中継技術は、ＬＴＥ−Ａ構築の潜在的な周波数スペクトル範囲および関連する大きな経路損失および都市部における無線到達範囲を制約する可能性のあるアグレッシブな伝搬条件を想定した場合、ＬＴＥ−Ａが背景にある状況において有意義なものと思われる。しかし、中継技術を実装する場合、信号伝達の複雑さが持ち込まれ、その結果、衝突が発生するおそれがある。
【発明の概要】
【０００５】
衝突を回避するための方法をＲＮ（中継ノード）において実装することができる。衝突は、サブフレームの第１のセットをバックホールリンク伝送に配分し、サブフレームの第２のセットをアクセスリンク伝送に配分することによって回避されうる。一例では、サブフレームの第２のセットは、サブフレームの第１のセットに関してサブフレームの重なり合わないセットであってもよい。
【０００６】
ＲＮで実装される別の方法では、アクセスリンク伝送とバックホールリンク伝送との間の衝突は、ｅＮＢ（ｅｖｏｌｖｅｄ  Ｎｏｄｅ−Ｂ）からデータ伝送を受信し、ＵＬ（アップリンク）グラントをＷＴＲＵ（ワイヤレス送信／受信ユニット）に、また第１のＡＣＫ（肯定確認応答）をｅＮＢに送信することによって回避されうる。伝送は、受信したデータ伝送に応答するものとであってよい。ＲＮは、自動ＡＣＫをＷＴＲＵにさらに送信し、第２のＵＬグラントをＷＴＲＵに送信することによって衝突を回避できる。
【０００７】
ＲＮで実装されるさらに別の方法では、アクセスリンク伝送とバックホールリンク伝送との間の衝突は、衝突を検出し、衝突発生タイプに基づきインターフェース優先度を決定することによって回避されうる。
【図面の簡単な説明】
【０００８】
本発明の詳細は、例えば添付図面と併せて、以下の説明を読むとさらによく理解することができる。
【０００９】
【図１】例示的なＬＴＥ（Ｌｏｎｇ  Ｔｅｒｍ  Ｅｖｏｌｕｔｉｏｎ）ワイヤレス通信システム／アクセスネットワークの図である。
【図２】ＬＴＥワイヤレス通信システムの一例のブロック図である。
【図３】例示的なＬＴＥシステムで使用されうるチャネルの図である。
【図４】中継局構築のための例示的なネットワークレベルのアーキテクチャの図である。
【図５Ａ】ＵＬ（アップリンク）アクセスデータがＵＬバックホールＡＣＫ／ＮＡＣＫ（肯定確認応答／否定確認応答）フィードバックと衝突する可能性のある例示的なシナリオの図である。
【図５Ｂ】ＵＬアクセスリンクデータがＵＬバックホールデータと衝突する可能性のある例示的なシナリオの図である。
【図５Ｃ】図５Ａに示されているシナリオの例示的な変更形態の図である。
【図５Ｄ】図５Ａに示されているシナリオの例示的な変更形態の図である。
【図６Ａ】図５Ｃに示されているシナリオの例示的な変更形態の図である。
【図６Ｂ】図５Ｄに示されているシナリオの例示的な変更形態の図である。
【図７】ＵＬアクセスリンクデータがＵＬバックホールデータと衝突し、その後の衝突も引き起こす可能性のある例示的なシナリオの図である。
【図８Ａ】ＵＬアクセスチャネルサウンディング応答（ＣＳＲ）フィードバックがＵＬバックホールデータと衝突する可能性のある例示的なシナリオの図である。
【図８Ｂ】ＵＬアクセスＣＳＲフィードバックがＵＬアクセスリンクデータと衝突する可能性のある例示的なシナリオの図である。
【図９Ａ】ＵＬアクセスＡＣＫ／ＮＡＣＫがＵＬバックホールＣＳＲと衝突する可能性のある例示的なシナリオの図である。
【図９Ｂ】ＵＬアクセスＣＳＲがＵＬバックホールＡＣＫ／ＮＡＣＫと衝突する可能性のある例示的なシナリオの図である。
【図１０】ＵＬアクセスＡＣＫ／ＮＡＣＫおよびＣＳＲがＵＬバックホールＣＳＲと衝突する可能性のある衝突シナリオの図である。
【図１１】ＵＬアクセス伝送とバックホール伝送との間の衝突を回避するための例示的な方法の図である。
【図１２】バックホールおよびアクセスリンクに対するサブフレームの互いに素なセットを使用する例示的な伝送配分の図である。
【図１３】バックホールおよびアクセスリンクに対する異なる帯域幅要件をサポートするように構成されうる構成可能な配分の図である。
【図１４】例示的な自動ＡＣＫ手順の図である。
【図１５】８サブフレームを１周期とするハイブリッド自動再送要求（ＨＡＲＱ）動作に対する例示的な配分の図である。
【図１６】ＤＬ  ＨＡＲＱおよびＵＬ  ＨＡＲＱの両方を使用するバックホールリンク上の例示的なＨＡＲＱプロセスの図である。
【図１７】インターフェース優先度を決定するための例示的な方法の図である。
【図１８】インターフェース優先度を決定するための別の例示的な方法の図である。
【図１９】インターフェース優先度を決定するための別の例示的な方法の図である。
【図２０】インターフェース優先度を決定するための別の例示的な方法の図である。
【図２１】ＲＮ（中継ノード）へのＵＬバックホールサブフレームの事前信号伝達を使用して衝突を回避するための例示的な方法の図である。
【図２２】ＲＴＴ、およびＨＡＲＱプロセスの数が増える可能性のある衝突を回避するための例示的な方法の図である。
【図２３】衝突を回避するための例示的な方法の図である。
【図２４】ＨＡＲＱタイミングオフセットを含むＲ−ＰＤＣＣＨを使用して衝突を回避するための例示的な方法の図である。
【図２５】ＨＡＲＱタイミングオフセットを含むＲ−ＰＤＣＣＨを使用して衝突を回避するための例示的な方法の図である。
【発明を実施するための形態】
【００１０】
これ以降使用する、「ワイヤレス送信／受信ユニット（ＷＴＲＵ）」という用語は、限定はしないが、ユーザー装置（ＵＥ）、移動局（ＭＳ）、高度移動局（ＡＭＳ）、局（ＳＴＡ）、固定または移動加入者ユニット、ポケベル、携帯電話、携帯情報端末（ＰＤＡ）、コンピュータ、またはワイヤレス環境で動作することができる他のタイプのデバイスを含む。これ以降使用する、「基地局」という用語は、限定はしないが、Ｎｏｄｅ−Ｂ、高度基地局（ＡＢＳ）、サイトコントローラ、アクセスポイント（ＡＰ）、ＨｎＢ（ｈｏｍｅ  Ｎｏｄｅ−Ｂ）、またはワイヤレス環境で動作することができる他のタイプのインターフェースデバイスを含む。「ＷＴＲＵ」および「基地局」という用語は、相互排他的でない。
【００１１】
図１は、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０５を含む例示的なＬＴＥ（Ｌｏｎｇ  Ｔｅｒｍ  Ｅｖｏｌｕｔｉｏｎ）ワイヤレス通信システム／アクセスネットワーク１００の図である。Ｅ−ＵＴＲＡＮ  １０５は、複数のｅＮＢ（ｅｖｏｌｖｅｄ  Ｎｏｄｅ−Ｂ）１２０、１つまたは複数のＨｅＮＢ（Ｈｏｍｅ  ｅＮＢ）１２２、ＲＮ（中継ノード）１２５、およびＨｅＮＢ  ＧＷ（ＨｅＮＢ  Ｇａｔｅｗａｙ）１３２を備えることができる。ＷＴＲＵ  １１０は、ｅＮＢ  １２０、ＨｅＮＢ  １２２、またはその両方と通信することができる。ｅＮＢ  １２０は、Ｘ２インターフェース（図示せず）を使用して互いにインターフェースすることができる。ｅＮＢ  １２０およびＨｅＮＢ  ＧＷ  １３２のそれぞれは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）１３０と、Ｓ１インターフェースを通じてインターフェースすることができる。ＨｅＮＢ  １２２は、ＨｅＮＢ  ＧＷ  １３２とＳ１インターフェースを通じて、ＭＭＥ／Ｓ−ＧＷ  １３０とＳ１インターフェースを通じて、またはその両方でインターフェースすることができる。単一のＷＴＲＵ  １１０、複数のＨｅＮＢ  １２２、単一のＲＮ  １２５、および２つのｅＮＢ  １２０が図１に示されているけれども、ワイヤレスデバイスと有線デバイスとの組み合わせは、ワイヤレス通信システム／アクセスネットワーク１００に含まれることは明らかであろう。
【００１２】
図２は、ＷＴＲＵ  １１０、ｅＮＢ  １２０、ＲＮ  １２５、およびＭＭＥ／Ｓ−ＧＷ  １３０を含むＬＴＥワイヤレス通信システム２００の例を示すブロック図である。ｅＮＢ  １２０およびＭＭＥ／Ｓ−ＧＷ  １３０は簡単に示されているけれども、ＨｅＮＢ  １２２とＨｅＮＢ  ＧＷ  １３２の例は、実質的に類似している機能を備えるものとしてよいことは理解されるであろう。図２に示されているように、ＷＴＲＵ  １１０、ｅＮＢ  １２０、ＲＮ  １２５、およびＭＭＥ／Ｓ−ＧＷ  １３０は、同期ハイブリッド自動再送要求（ＨＡＲＱ）動作および干渉回避をサポートするように構成されうる。
【００１３】
典型的なＷＴＲＵに見られるコンポーネントに加えて、ＷＴＲＵ  １１０は、オプションのリンクされたメモリ２２２を持つプロセッサ２１６、少なくとも１つのトランシーバ２１４、オプションの電池２２０、およびアンテナ２１８を備えることができる。プロセッサ２１６は、ＨＡＲＱ動作および干渉回避を実行するように構成されうる。トランシーバ２１４は、ワイヤレス通信の送信および受信が円滑に行われるようにプロセッサ２１６およびアンテナ２１８と通信するものとしてよい。オプションの電池２２０は、トランシーバ２１４およびプロセッサ２１６に給電するためにＷＴＲＵ  １１０内で使用されうる。
【００１４】
ＷＴＲＵ  １１０は、ＵＬアクセスバックホール衝突を回避するように適合させることができる。プロセッサ２１６は、３つのアクセスサブフレームとその後に続く２つのパックホールサブフレームのパターンを処理するように構成することができる。トランシーバ２１４は、サブフレームを定期的に受信するように構成することができる。ＷＴＲＵ  １１０は、修正されたＵＬグラントタイミングに基づきＡＣＫ／ＮＡＣＫメッセージを送信し、および／または受信し、アクセスリンクとバックホールリンクとの間で衝突が起きないことを確実にするようにさらに構成することができる。
【００１５】
典型的なｅＮＢに見られるコンポーネントに加えて、ｅＮＢ  １２０は、オプションのリンクされたメモリ２１５を持つプロセッサ２１７、トランシーバ２１９、およびアンテナ２２１を備えることができる。プロセッサ２１７は、帯域幅管理を実行するように構成されうる。トランシーバ２１９は、ワイヤレス通信の送信および受信が円滑に行われるようにプロセッサ２１７およびアンテナ２２１と通信するものとしてよい。ｅＮＢ  １２０は、オプションのリンクされたメモリ２３４を持つプロセッサ２３３を備えることができるＭＭＥ／Ｓ−ＧＷ（Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ）１３０に接続されうる。
【００１６】
ｅＮＢ  １２０は、ＲＮ  １２５と連係動作し、ＲＮ  １２５におけるＵＬアクセスバックホール衝突を解決することができる。プロセッサ２１７は、３つのアクセスサブフレームとその後に続く２つのバックホールサブフレームのパターンを生成するように構成することができる。トランシーバ２１９は、サブフレームを定期的に送信するように構成することができる。ｅＮＢ  １２０は、ＡＣＫおよびＮＡＣＫメッセージのタイミングを修正し、ＵＬグラントタイミングを修正してアクセスリンクとバックホールリンクとの間で衝突が起きないことを確実にするようにさらに構成することができる。
【００１７】
典型的なＲＮに見られるコンポーネントに加えて、ＲＮ  １２５は、オプションのリンクされたメモリ２４２を持つプロセッサ２４０、少なくとも１つのトランシーバ２４５、オプションの電池２５０、およびアンテナ２５５を備えることができる。プロセッサ２４０は、ＨＡＲＱ動作および干渉回避を実行するように構成されうる。トランシーバ２４５は、ワイヤレス通信の送信および受信が円滑に行われるようにプロセッサ２４０およびアンテナ２５５と通信するものとしてよい。オプションの電池２５０は、トランシーバ２４５およびプロセッサ２４０に給電するためにＲＮ  １２５内で使用されうる。
【００１８】
ＲＮ  １２５は、ＵＬアクセスバックホール衝突を解決することができる。プロセッサ２４０は、３つのアクセスサブフレームとその後に続く２つのバックホールサブフレームのパターンを生成するように構成することができる。トランシーバ２４５は、サブフレームを定期的に送信するように構成することができる。ＲＮ  １２５は、ＡＣＫおよびＮＡＣＫメッセージのタイミングを修正し、ＵＬグラントタイミングを修正してアクセスリンクとバックホールリンクとの間で衝突が起きないことを確実にするようにさらに構成することができる。
【００１９】
図３は、例示的なＬＴＥシステム３００で使用されうるチャネルの図である。図３を参照すると、基地局３１０が、物理層３１１、ＭＡＣ（媒体アクセス制御）層３１２、および論理チャネル３１３を備えうることがわかる。基地局３１０の物理層３１１およびＭＡＣ層３１２は、トランスポートチャネルを介して通信することができ、このトランスポートチャネルとしては、限定はしないが、ＢＣＨ（ブロードキャストチャネル）３１４、ＭＣＨ（マルチキャストチャネル）３１５、ＤＬ−ＳＣＨ（ダウンリンク共有チャネル）３１６、およびＰＣＨ（ページングチャネル）３１７が挙げられる。ＷＴＲＵ  ３２０は、物理層３２１、ＭＡＣ（媒体アクセス制御）層３２２、および論理チャネル３２３を備えることができる。ＷＴＲＵ  ３２０の物理層３２１およびＭＡＣ層３２２は、トランスポートチャネルを介して通信することができ、このトランスポートチャネルとしては、限定はしないが、ＵＬ−ＳＣＨ（アップリンク共有チャネル）３２４およびＲＡＣＨ（ランダムアクセスチャネル）３２５が挙げられる。基地局３１０とＷＴＲＵ  ３２０の物理層は、物理チャネルを介して通信することができ、この物理チャネルとしては、限定はしないが、ＰＵＣＣＨ（物理アップリンク制御チャネル）３３１、ＰＤＣＣＨ（物理ダウンリンク制御チャネル）３３２、ＰＣＦＩＣＨ（物理制御フォーマットインジケータチャネル）３３３、ＰＨＩＣＨ（物理ハイブリッド自動再送要求チャネル）３３４、ＰＢＣＨ（物理ブロードキャストチャネル）３３５、ＰＭＣＨ（物理マルチキャストチャネル）３３６、ＰＤＳＣＨ（物理ダウンリンク共有チャネル）３３７、ＰＵＳＣＨ（物理アップリンク共有チャネル）３３８、および／またはＰＲＡＣＨ（物理ランダムアクセスチャネル）３３９が挙げられる。
【００２０】
図１から３に示されているＬＴＥネットワークは、特定の通信ネットワークの一例に過ぎず、他のタイプの通信ネットワークも使用することができる。さまざまな実施形態を、任意のワイヤレス通信技術で実装することができる。ワイヤレス通信技術のタイプのいくつかの例として、限定はしないが、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、８０２．ｘｘ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ２０００（符号分割多元接続）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）、ＬＴＥ−Ａ（Ａｄｖａｎｃｅｄ  ＬＴＥ）、または将来に出現すると思われる技術が挙げられる。説明のために、さまざまな実施形態は、ＬＴＥ−Ａ（Ａｄｖａｎｃｅｄ  Ｌｏｎｇ  Ｔｅｒｍ  Ｅｖｏｌｕｔｉｏｎ）を背景として説明されているが、さまざまな実施形態は、どのようなワイヤレス通信技術でも実装することができる。
【００２１】
これ以降使用する、「マクロセル」という用語は、限定はしないが、基地局、ｅＮＢ（ｅｖｏｌｖｅｄ  Ｎｏｄｅ−Ｂ）、またはワイヤレス環境で動作することができる他のタイプのインターフェースデバイスを含むものとすることができる。これ以降使用する、「ＨＮＢ（Ｈｏｍｅ  Ｎｏｄｅ−Ｂ）」という用語は、限定はしないが、基地局、ＨｅＮＢ（Ｈｏｍｅ  ｅｖｏｌｖｅｄ  Ｎｏｄｅ−Ｂ）、フェムトセル、または限定加入者グループワイヤレス環境で動作することができる他のタイプのインターフェースデバイスを含むものとすることができる。これ以降使用する、「Ｕｕ」という用語はＲＮとＷＴＲＵとの間のリンクを指し、「Ｕｎ」という用語はＲＮとｅＮＢとの間のリンクを指すものとすることができる。
【００２２】
中継機能は、ＬＴＥ−Ａ向けに、例えば、高いデータ伝送速度のカバレッジ、グループモビリティ、一時的なネットワーク構築、セル端スループットを改善し、および／または新規エリア内のカバレッジを実現するための手段であるものとして考えることができる。ＬＴＥ−Ａ構築の潜在的な周波数スペクトル範囲および関連する大きな経路損失は、特に都市部における無線到達範囲を制約するアグレッシブな伝搬条件の発生要因となりうる。
【００２３】
中継局構築のネットワークレベルのアーキテクチャの一例は、図４に示されており、そこでは、ＲＮ  ４０５は、ドナーセル４１０を介して無線アクセスネットワークにワイヤレス接続することができる。接続は、例えば、ネットワーク−ＲＮ間リンクがドナーセル４１０内の直接ネットワーク−ワイヤレス送信／受信ユニット（ＷＴＲＵ）間リンクと同じ帯域を共有するように帯域内で行うことができる。帯域外の例では、ネットワーク−ＲＮ間リンクは、ドナーセル内の直接ネットワーク−ＷＴＲＵ間リンクと同じ帯域で動作することはありえない。
【００２４】
ＲＮは、例えば、ＷＴＲＵ  ４１５がＲＮ  ４０５を介してネットワークと通信するかどうかを認識しないようなトランスペアレントなＲＮであるか、またはＷＴＲＵ  ４１５がＲＮ  ４０５を介してネットワークと通信しているかどうかを認識する場合の非トランスペアレントなＲＮとすることができる。ＲＮ  ４０５は、ドナーセルまたはそれ自身の制御セルの一部とすることができる。
【００２５】
ＲＮ  ４０５が、ドナーセル４１０の一部である場合、ＲＮ  ４０５は、それ自身のセル識別（ＩＤ）は有しないことがあるとしても、中継ＩＤは有するものとしてよい。ＲＮ  ４０５がそれ自身のセルを制御している場合、ＲＮ  ４０５は１つまたは複数のセルを制御することができ、一意的な物理層セル識別を、ＲＮ  ４０５によって制御されるセルのそれぞれにおいて与えることができる。セルフバックホーリング（Ｌ３  ＲＮ）および「タイプ１」のＲＮは、このタイプの中継機能を使用することができる。
【００２６】
タイプ１のＲＮは、セルを制御する帯域内中継ノードとすることができ、それぞれのセルはＷＴＲＵにはドナーセルと明確に区別される別のセルとして見える可能性がある。これらのセルは、固有の物理セルＩＤを有し、ＲＮは、同期チャネル、基準シンボル、および同様のものを送信することができる。単一セルの動作を背景とする状況では、ＷＴＲＵは、ＲＮから直接、スケジューリング情報およびＨＡＲＱフィードバックを受信し、その制御チャネルをＲＮに送ることができる。制御チャネルは、限定はしないが、スケジューリング要求（ＳＲ）、チャネルステータス報告、および肯定確認応答（ＡＣＫ）を含むものとしてよい。ＲＮは後方互換性を有するものとすることができる。ＬＴＥ−ＡのＷＴＲＵに対して、タイプ１のＲＮがｅＮｏｄｅＢ（ｅＮＢ）と異なる形で現れ、さらなる性能向上をもたらしうることもありうる。
【００２７】
帯域内中継機能については、ｅＮＢ−ＲＮ間リンクは、ＲＮ−ＷＴＲＵ間リンクと同じ周波数スペクトルで動作しうる。ＲＮにアタッチされたｅＮＢは、ドナーｅＮＢ（ＤｅＮＢ）と称することができる。ＲＮ送信機は、その自受信機に干渉を引き起こすこともある。同じ周波数リソース上の同時のｅＮＢ−ＲＮ間およびＲＮ−ＷＴＲＵ間伝送は、送信および受信信号の十分な分離なしでは実現可能でないことがある。同様に、ＲＮがｅＮＢに送信している可能性がある場合にＲＮでＷＴＲＵ伝送を同時に受信することが可能でないことがある。
【００２８】
干渉問題に対処するための可能な一方法として、ＲＮ−ＷＴＲＵ間伝送内にギャップを形成することによってドナーｅＮＢからデータを受信するようスケジュールされているときにＲＮが端末に対して送信しないようにＲＮを操作することが考えられる。端末がＲＮ伝送を受信するようにスケジュールされていない可能性のある、これらのギャップは、ＭＢＭＳ（マルチメディアブロードキャストマルチキャストサービス）ＭＢＳＦＮ（単一周波数ネットワーク）サブフレームを構成することによって形成することができる。ＲＮ−ｅＮＢ間伝送は、いくつかのサブフレーム内での端末−ＲＮ間伝送を許可しないことによって円滑に行えるようにすることができる。
【００２９】
中継技術は、セル端スループットおよびカバレッジ拡大に関する設計上の難題の克服を助ける技術要素のうちの１つとすることができる。しかし、中継技術の構築は多くの難題をもたらす可能性がある。これらの難題の１つは、ＭＢＳＦＮサブフレーム構成におけるギャップによって生じる制約条件に関係しない適切なＨＡＲＱ動作問題および関係する自己干渉問題を保持しながらバックホールリンク帯域幅使用に対する効率を保証することであると思われる。
【００３０】
ダウンリンク（ＤＬ）バックホール衝突は、ＲＮからＷＴＲＵへの伝送にギャップを形成することによって回避できる。これらのギャップは、ＤＬアクセスリンク内でＭＢＳＦＮサブフレームを使用することによって形成することができる。しかし、ＵＬ（アップリンク）に対する類似のメカニズムはない。例えば、ＵＬバックホールを実行するために、ＵＬアクセスリンク内にギャップが形成されうる。この例では、ＷＴＲＵからＲＮへの伝送は実行できない。ＵＬアクセスリンク内のギャップ用のフレームワークの欠如は、ＵＬアクセスリンク（ＷＴＲＵからＲＮへの伝送）とＵＬバックホールリンク（ＲＮからｅＮＢへの伝送）との間の衝突の要因となりうる。タイプ１のＲＮは、同じ周波数上で同時に受信と送信を行う必要がない場合があるため、これらの衝突の結果、ＲＮがＷＴＲＵから受信し損なう可能性がある。
【００３１】
いくつかの衝突のシナリオが考えられる。これらのシナリオのうちのいくつかは表１に、その発生時期の説明と一緒にまとめられている。シナリオ７および９を除き、すべてのシナリオに対する共通の構成は、ＤＬバックホールにｎ番のサブフレームを使用できるというものである。ｎ番のサブフレームは、Ｕｎインターフェース上の通常のサブフレームとしてよく、またこれは、ＲＮによって、Ｕｕ上のＭＢＳＦＮ予約済みサブフレームとして信号により伝達されうる。ｎ番のサブフレームは、ｅＮＢによるＲＮへのリソースグラントの通信（ＤＬもしくはＵＬ）またはＲＮによるＷＴＲＵへのリソースグラントの通信を伝えることができる。ｎ＋４番のサブフレームで発生しうる衝突は、表１に示されているように、ｎ番のサブフレームにおけるバックホールリンクとアクセスリンクの両方における伝送のタイプに依存するものとしてよい。表１に示されているシナリオでは、ドナーｅＮＢとＲＮの両方が、ｎ番のサブフレームより先にスケジュール決定に基づき連係しえないと仮定している。例えば、ｅＮＢは、時間より早くそのリソーススケジューリング情報をＲＮに伝達することはできず、同様に、時間より早くそのリソーススケジューリング情報をｅＮＢに伝達することはできない。
【００３２】
【表１−１】
2012530470.tif 000003
【００３３】
【表１−２】
2012530470.tif 000004
【００３４】
【表１−３】
2012530470.tif 000005
【００３５】
衝突はさまざまな異なるコストを伴いうることに留意されたい。例えば、アクセスリンク上でＵＬデータ伝送が喪失すると、その結果、リソースが無駄になる可能性がある。この例では、ＷＴＲＵは、ＰＵＳＣＨを再送することがあり、そのため、電池の電力使用が不効率なものとなる可能性がある。しかし、ＷＴＲＵからのＣＳＲ報告が失われると、その結果、性能の破滅的ではない、穏やかな低下が生じることがある。ＣＳＲは、ＣＱＩ（チャネル品質インジケータ）、ＰＭＩ（プリコーダマトリクスインジケータ）、および／またはＲＩ（ランクインジケータ）を含むことができる。さらに、これらの例示的なシナリオでは、ＷＴＲＵからＲＮに再送されることはありえない。そのため、リソースの無駄な使用が少なく、また電池寿命に対する影響も少ないと思われる。
【００３６】
シナリオ１および２では、ＰＵＳＣＨ（物理ＵＬ共有チャネル）５０５上のＵＬアクセスリンクデータは、それぞれ、図５Ａおよび５Ｂに示されているように、中継ＰＵＳＣＨ（Ｒ−ＰＵＳＣＨ）５１５上のＵＬバックホールＡＣＫ／ＮＡＣＫフィードバック５１０またはＵＬバックホールデータと衝突する可能性がある。図５Ａを参照すると、第１の衝
突シナリオは、アクセスリンクＰＵＳＣＨ  ５０５がＲ−ＰＤＳＣＨ（中継物理ダウンリンク共有チャネル）割り当て５２０によって引き起こされるバックホールリンクＡＣＫ／ＮＡＣＫ伝送５１０と衝突する場合に起こる可能性があることがわかる。ＲＮ  ５２５は、ｅＮＢ  ５３５がバックホールリンクに対して同じｎ番のサブフレーム内においてＲ−ＰＤＳＣＨ上でＤＬデータ伝送を同時にスケジュールしている可能性のあることを知ることなく、ｎ番のサブフレームでＷＴＲＵ  ５３０へのアクセスリンクに対して有効であると思われるＰＤＣＣＨ（物理ダウンリンク制御チャネル）上でＵＬグラントを送信することができる。
【００３７】
このシナリオが実行されるのは、ＰＤＣＣＨからＰＤＳＣＨへのタイミングで、Ｒ−ＰＤＣＣＨが遅れて送信されうるからである。例えば、図５Ａでは、Ｒ−ＰＤＣＣＨは、ｎ番のサブフレーム内のアクセスリンク制御領域（ＯＦＤＭシンボル＃１および＃２）ではなく第３のＯＦＤＭ（直交周波数分割多重）シンボルで送ることができる。ｅＮＢ  ５３５がこの同じサブフレームに対してＲ−ＰＤＣＣＨを通じてバックホールリソースをＲＮ  ５２５に割り当てた場合、ＲＮ  ５２５は、ＰＤＣＣＨを通じてＵＬグラント５４０をＷＴＲＵにすでに送信している可能性がある。ＲＮ  ５２５は、ｎ＋４番のＵＬサブフレーム内のバックホール上のＲ−ＰＤＳＣＨ伝送５２０に対応するＵＬ  ＡＣＫ／ＮＡＣＫ  ５１０を送信するよう要求される可能性があり、その一方で、ＷＴＲＵ  ５３０は、同じサブフレーム内のアクセスリンク上で割り当てられているＰＵＳＣＨ  ５０５を送信することができる。
【００３８】
図５Ｃおよび５Ｄに示されている例は、図５Ａのシナリオの変更形態である。図５Ｃを参照すると、ＡＣＫ／ＮＡＣＫ伝送が繰り返されるＡＣＫ／ＮＡＣＫ  ５４７である場合にサブフレームｎ＋４内に衝突が発生しうることがわかる。このシナリオでは、ＰＵＳＣＨデータ５０５と繰り返されるＡＣＫ／ＮＡＣＫ  ５４７との間で衝突が発生しうる。図５Ｄを参照すると、ＲＮ  ５２５は、サブフレームｎにおいてＰＵＳＣＨデータ５０５を受信し、サブフレームｎ＋４においてＮＡＣＫ  ５４５を送信することができることがわかる。この例示的なシナリオでは、アクセスリンク上の再送されるＰＵＳＣＨデータ５５０は、サブフレームｎ＋８においてバックホールリンク上でＡＣＫ／ＮＡＣＫ  ５５５と衝突する可能性がある。
【００３９】
図６Ａおよび６Ｂに示されている例は、それぞれ、図５Ｃおよび５Ｄのシナリオの変更形態である。図６Ａを参照すると、ＡＣＫ／ＮＡＣＫ伝送が繰り返されるＡＣＫ／ＮＡＣＫ  ６５７である場合にサブフレームｎ＋４内に衝突が発生しうることがわかる。このシナリオでは、ＷＴＲＵ  ６３０からの繰り返されるＡＣＫ／ＮＡＣＫ  ６５７とＲＮ  ６２５からのＲ−ＰＵＳＣＨデータとの間で衝突が発生しうる。図６Ｂを参照すると、ＲＮ  ６２５は、サブフレームｎにおいてＰＵＳＣＨデータ６０５を受信し、サブフレームｎ＋４においてＮＡＣＫ  ６４５を送信することができることがわかる。この例示的なシナリオでは、再送されるＰＵＳＣＨデータ６５０は、サブフレームｎ＋８においてＲ−ＰＵＳＣＨデータ６６０と衝突する可能性がある。
【００４０】
図７は、ＵＬアクセスリンクデータがＵＬバックホールデータと衝突し、ｅＮＢ  ７１０がバックホールリンク上でＰＨＩＣＨをＲＮ  ７２０に送信することができない状況をその後引き起こす可能性のある例示的なシナリオの図である。図７を参照すると、サブフレーム＃ｎ＋４内のＵＬ上の衝突７３０が、ＤＬ  ＭＢＳＦＮバックホールサブフレームの選択（つまり、ＦＤＤに対してｎ＝１、２、３、６、７、８  のどれか）に対して発生しうることがわかる。バックホールリンク７４０とアクセスリンク７５０の両方における初期ＵＬグラント割り当てがサブフレームｎ＝３または８において実行される例示的なシナリオでは、ＰＨＩＣＨ上のＡＣＫ／ＮＡＣＫは、サブフレーム（ｎ＋８）  ｍｏｄ  １０、例えば、サブフレーム１または６上で送信することができ、これらは両方ともＭＢＳＦＮサブフレームとすることができる。バックホール制御領域およびアクセスリンク制御領域は時間領域内で重なり合わない領域であってよいので、衝突は発生しえない。しかし、初期サブフレームがｎ＝１、２、６、または７である場合、既存のｒｅｌ８／９仕様によるバックホールＰＨＩＣＨ上のＡＣＫ／ＮＡＣＫは、サブフレーム（ｎ＋８）  ｍｏｄ  １０、例えば、サブフレーム０、４、５、または９上で送信することができ、これらはＭＢＳＦＮサブフレームでなくてもよい。この場合に、いくつかの代替的ソリューションが考えられる。第１の例では、ｅＮＢ  ７１０がＡＣＫを送信してしまっているとＲＮ  ７２０側で想定するように常時ＡＣＫのソリューションを実装することができる。そこで、ｅＮＢ  ７１０は、サブフレームｎ＋１２においてＲＮ  ７２０にＵＬグラントを与えることによって適応再送を有効にすることができる。第２の例では、次に利用可能なＭＢＳＦＮサブフレームでＡ／Ｎ（ＡＣＫまたはＮＡＣＫ）フィードバックを送信することができる。
【００４１】
図７に例示されているように、このシナリオでは、ｎ＋８番のサブフレームはＤＬバックホールに対して構成できないという条件の下でｎ＋８番のサブフレームにおいて衝突が発生しうる。元のｎ番のサブフレームがｎ＝３またはｎ＝８であるという条件の下では、それぞれ、（ｎ＋８）  ｍｏｄ  １０＝１または６となり、これは、中継セルにおいてＭＢＳＦＮサブフレームを使用してＤＬバックホールを構成することができることを意味している。そのため、ｎ＋８番のサブフレームにおけるＤＬ衝突は、回避できる。しかし、ｎ番の元のサブフレームが１、２、６、または７であったという条件の下では、サブフレーム（ｎ＋８）  ｍｏｄ  １０は、ＤＬバックホールに対して構成することはできない。このため、バックホールリンクとアクセスリンクとの間に潜在的なＤＬ衝突がありえ、バックホールＰＨＩＣＨ  ＡＣＫ／ＮＡＣＫ  ６７０はＰＨＩＣＨ  ＡＣＫ  ５８０と衝突する可能性がある。
【００４２】
図８Ａおよび８Ｂは、ＵＬアクセスＣＳＲフィードバックがＵＬバックホールデータ（Ｒ−ＰＵＳＣＨ）と衝突するか、またはＵＬアクセスリンクデータ（ＰＵＳＣＨ）がＵＬバックホールＣＳＲと衝突する可能性のある例示的な衝突シナリオの図である。これらの衝突は、ＦＤＤにおけるｎ＝１、２、３、６、７、８のどれかについて発生しうる。図８Ａを参照すると、ｅＮＢ  ８４０は、ＵＬグラント８１７をサブフレームｎにおいてＲ−ＰＤＣＣＨに送り、サブフレームｎ＋４においてデータ伝送８１５を行うようにＲＮ  ８１０をスケジュールすることができることがわかる。ＲＮ  ８１０はＣＳＲ  ８２５に対してＷＴＲＵ  ８２０をすでにスケジュールしており、このためサブフレームｎ＋４においてＣＳＲ  ８２５とスケジュールされたデータ伝送８１５との間に衝突が引き起こされうる。図８Ｂを参照すると、ＲＮ  ８１０は、ＵＬグラント８３０をサブフレームｎにおいてＰＤＣＣＨに送り、サブフレームｎ＋４においてデータ伝送を行うようにＷＴＲＵ  ８２０をスケジュールすることができることがわかる。ｅＮＢ  ８４０は、サブフレームｎ＋４においてＣＳＲ  ８５０に対してＲＮ  ８１０をスケジュールすることができる。ＷＴＲＵ  ８１０からのＵＬデータ伝送８６０は、ＣＳＲ  ８５０と衝突する可能性がある。
【００４３】
図９Ａおよび９Ｂは、ＵＬアクセスＡＣＫ／ＮＡＣＫがＵＬバックホールＣＳＲと衝突するか、またはＵＬアクセスＣＳＲがＵＬバックホールＡＣＫ／ＮＡＣＫと衝突する可能性のある例示的な衝突シナリオの図である。これらの衝突は、ＤＬ  ＭＢＳＦＮバックホールサブフレーム（ＦＤＤに対するｎ＝１、２、３、６、７、８）のどれかについて発生しうる。図９Ａに例示されているシナリオには、２つの変更形態がありうる。第１の例では、ＷＴＲＵ  ９１０は、ＵＬアクセスリンク上でＡＣＫ／ＮＡＣＫの繰り返しを行うように構成することができ、その結果、サブフレームｎ＋３、ｎ＋４、ｎ＋５、およびｎ＋６（簡単のためｎ＋４で示されている）におけるＵＬ  ＡＣＫ／ＮＡＣＫ  ９２０をｎ−１番のサブフレームにおけるＤＬアクセスＰＤＳＣＨ伝送に対して送信することができる。サブフレームｎ＋４におけるＣＳＲ  ９３０とのＵＬ衝突は、ＲＮ  ９４０がＷＴＲＵ  ９１０からＡＣＫ／ＮＡＣＫを正しく受信するさらに３つの機会が潜在的にありうるため、コストが高くつく事態とはなりえない。第２の例では、ｎ番のサブフレームは、通常のＤＬアクセスサブフレームとすることができる。ＲＮ  ９４０は、ｎ番のサブフレームにおいてＰＤＳＣＨデータ９４５をＷＴＲＵ  ９１０に送信し、このため、ｎ＋４番のサブフレームにおいてＵＬアクセスに関してＡＣＫ／ＮＡＣＫ応答９２０を予期するものとしてよい。アクセスリンクとバックホールリンクとの間のＵＬ衝突は、ＲＮ  ９４０がｎ＋４番のサブフレームにおいてＣＳＲ  ９３０をｅＮＢ  ９５０に送信するようにスケジュールされたという条件の下で発生しうる。この衝突は、ＤＬアクセスサブフレームが番号ｎであったと仮定してサブフレームインデックス番号ｎに関係なく発生しうる。
【００４４】
図９Ｂを参照すると、ＲＮ  ９４０は、ｅＮＢ  ９５０がサブフレームｎでデータ９６０を送信したことに応答して、サブフレームｎ＋４においてＡＣＫ／ＮＡＣＫ  ９５５を送信することができることがわかる。このシナリオでは、ＷＴＲＵ  ９１０がサブフレームｎ＋４においてＣＳＲ  ９６５を送信するようにプリスケジュールされていた場合にサブフレームｎ＋４において衝突が発生しうる。
【００４５】
図１０は、ＵＬアクセスＡＣＫ／ＮＡＣＫおよびＣＳＲがＵＬバックホールＣＳＲと衝突する可能性のある衝突シナリオの図である。この衝突シナリオは、図９Ａのシナリオに類似している。図１０を参照すると、ＲＮ  １０１０は、ｎ番のサブフレームにおいてＰＤＳＣＨデータ１０２０をＲ−ＷＴＲＵ  １０３０に送信し、このため、ｎ＋４番のサブフレームにおいてＵＬアクセスに関してＡＣＫ／ＮＡＣＫ応答１０４０を予期してよいことがわかる。ＡＣＫ／ＮＡＣＫ応答１０４０は、ＡＣＫ／ＮＡＣＫまたはＣＳＲであるものとしてよい。アクセスリンクとバックホールリンクとの間のＵＬ衝突は、ＲＮ  １０１０がｎ＋４番のサブフレームにおいてＣＳＲ  １０５０をｅＮＢ  １０６０に送信するようにスケジュールされたという条件の下で発生しうる。この衝突は、ＤＬアクセスサブフレームが番号ｎであったと仮定してサブフレームインデックス番号ｎに関係なく発生しうる。
【００４６】
図１１は、ＵＬアクセス伝送とバックホール伝送との間の衝突を回避するための例示的な方法の図である。図１１に示されているように、サブフレームの第１のセットをバックホールリンク１１１０に配分することができる。サブフレームの第２のセットは、サブフレームの第２のセットがサブフレームの第１のセットと互いに素となるようにアクセスリンク１１２０に配分することができる。例えば、ＨＡＲＱ動作をサブフレーム８個の周期からサブフレーム１０個の周期に修正することを、アクセスリンクおよびバックホールリンクに対してサブフレームの重なり合わないセットを定義することと併せて行うとよい。
【００４７】
図１２は、バックホールおよびアクセスリンクに対するサブフレームの互いに素なセットを使用する例示的な伝送配分の図である。図１２を参照すると、バックホールリンクサブフレームセット１２１０は、サブフレーム２、３、７、および８に配分することができ、アクセスリンクサブフレームセット１２２０は、サブフレーム０、１、４、５、６、および９に配分することができることがわかる。このタイプの配分は、より高いスペクトル効率を求めてバックホールリンク上でアグレッシブな通信路符号化および通信路変調方式と併せて使用することができる。
【００４８】
この例示的な配分の結果、３つのアクセスサブフレームの後に２つのバックホールサブフレームが続くものとすることができるサブフレーム５個の周期の周期的パターンを得ることができる。ＡＣＫ／ＮＡＣＫ待ち時間が４ｍｓから５ｍｓに修正された場合、アクセスサブフレームで送られるデータに対するＡＣＫ／ＮＡＣＫをアクセスサブフレームで送信することができる。同じ方法を、バックホール上でのＡＣＫ／ＮＡＣＫ信号伝達にも適用することができる。バックホールサブフレームをアクセスサブフレームから分離し、ＡＣＫ／ＮＡＣＫタイミングおよびＵＬグラントタイミングを４ｍｓから５ｍｓに修正することによって、ＤＬまたはＵＬのいずれかにおいて、アクセスリンクとバックホールリンクとの間の衝突を回避することができる。
【００４９】
パーティション分割は、アクセスリンクについては約６０％、バックホールリンクについては約４０％としてよいことに留意されたい。この例示的なパーティション分割は、アクセスリンクに比べて、バックホールリンクではよりアグレッシブなＭＣＳ（変調および符号化方式）を必要とする可能性がある。固定されたＲＮは、アクセスリンクに比べて高品質なバックホールリンクを有することができるため、これは妥当な仮定といえる。
【００５０】
この配分方式は、バックホールリンクおよびアクセスリンクに対する異なる帯域幅要件をサポートするように構成されうる。図１３に一例が示されており、サブフレーム１、３、６、および８が、通常のトラヒック１３１０、例えば、ＷＴＲＵに直接伝達されうるｅＮＢからのトラヒックに使用することができる。この例では、サブフレーム０、４、５、および９はアクセスリンクに配分され、サブフレーム２および７はバックホールリンクに配分されうる。この結果、サブフレームのパターンが「ＡＲＢＲＡ」となり、これはサブフレーム５個を１周期とする周期性を有し、また、それぞれのアクセスリンクサブフレーム「Ａ」について、後にアクセスリンクサブフレーム「Ａ」の５個のサブフレームがありえ、それぞれのバックホールサブフレーム「Ｂ」について、後にバックホールサブフレーム「Ｂ」の５個のサブフレームがありえ、それぞれの通常のサブフレーム「Ｒ」について、後に通常のサブフレーム「Ｒ」の５個のサブフレームがありえるという特性を持つ。代替的形態（図示せず）では、サブフレーム３および８は、必須のサブフレーム０、４、５、および９に加えて、アクセスリンクに対して構成されうるが、バックホールリンクでは、サブフレーム２および７を使用し、通常のトラヒックでは、サブフレーム１および６を使用することができる。この結果、前に説明したのと同じ特性を有するパターン「ＡＲＢＡＡ」が形成されうる。さらに別の代替的形態（図示せず）では、サブフレーム２および７は、アクセスにすでに使用されているサブフレーム０、４、５、および９に加えて、アクセスリンクに対して構成されうる。バックホールリンクでは、サブフレーム３および８を使用することができ、通常のトラヒックでは、サブフレーム１および６を使用することができる。この結果、上で説明されているのと同じ周期性、例えば、サブフレーム５個の周期性を有するパターン「ＡＲＡＢＡ」が得られ、アクセス（「Ａ」）、バックホール（「Ｂ」）、および通常（「Ｒ」）のサブフレームのそれぞれが、サブフレーム５個の周期性をそれぞれ有する。ＡＣＫ／ＮＡＣＫ応答時間に等しい配分パターンの周期性を維持することによって、衝突回避を確実に行いながら、アクセスリンク、バックホールリンク、および通常のリンクに対する帯域幅要件に合致する柔軟なサブフレーム構成を生成することができる。この方法は、ＬＴＥ−Ａ  ＷＴＲＵにおいてＵＬアクセスとバックホール伝送との間の衝突を回避するために使用することができるが、ＡＣＫ／ＮＡＣＫ応答時間は５ｍｓなので、この方法は、ＬＴＥ  ＷＴＲＵでの使用と後方互換性がないと思われる。この方法は、バックホール／選択的中継の問題に対処するために使用することができる。
【００５１】
別の例では、ＵＬ同期ＨＡＲＱ動作は、冗長値（ＲＶ）が初期伝送と同じであるものとしてよい値に設定されうるように適応ＨＡＲＱ再送と結合された自動ＡＣＫを使用するように構成することができる。自動ＡＣＫオプションは、ＵＬフィードバックがＭＢＳＦＮサブフレームのタイムウィンドウ内に収まるときに使用することができる。
【００５２】
図１４は、例示的な自動ＡＣＫ手順１４００の図である。図１４を参照すると、ＲＮ  １４１０は、サブフレームのＰＤＣＣＨ部分のアクセスリンク１４４０で、ＭＢＳＦＮサブフレームｎにおいて、ＵＬグラント１４２０をＷＴＲＵ  １４３０に送ることができ、その一方で、ｅＮＢ  １４５０は、サブフレームのＰＤＳＣＨ部分において、バックホールリンク１４７０上でＰＤＳＣＨデータをＲＮ  １４１０に送ることができることがわかる。その結果、ＲＮ  １４１０は、サブフレームｎ＋４においてバックホールリンク上でＵＬ  ＡＣＫ／ＮＡＣＫフィードバック１４８０を送ることができ、そのため、ＷＴＲＵ  １４３０からＵＬアクセスリンクＰＤＳＣＨデータ１４８５の受信を喪失することになる。この例では、ＲＮ  １４１０は、自動ＡＣＫ  １４８７をＷＴＲＵに送ってＰＤＳＣＨデータ１４８５の受信を肯定確認応答するように構成されうる。その結果、ＷＴＲＵ  １４３０は、その内部バッファをフラッシュせず、再送を自動実行しえない。その代わりに、ＷＴＲＵ  １４３０は、次のＵＬグラント１４８９が来るのを待つものとしてよい。
【００５３】
ＤＣＩフォーマット０を使用し、次のＵＬグラント１４９０の信号伝達をＲＮ  １４１０からＰＤＣＣＨで行うことができる。ＲＮ  １４１０は、ＮＤＩビットを構成し、再送のＵＬグラントを送信することができ、ＭＣＳをチャネル条件１４９５に基づくものとして構成することもでき、そこで、適応再送を行うことができる。ＲＮは、ＵＬグラントスケジュールを制御し、適応再送を実行することができる。適応再送は、ＰＨＩＣＨとＰＤＣＣＨの両方のチャネルに対して同じタイミングを維持しながら実行することができる。自動ＡＣＫアプローチは、サブフレームｎ＋４においてＲＮがし損なったトランスポートブロックの再送をスケジュールする柔軟性をもたらすことができ、例えば、初期伝送と比較して異なるＭＣＳを使用することによって適応再送を実行する機会を設けることができる。再送をスケジュールした後、ＲＮは、ＰＤＣＣＨフォーマット０で、新規再送などについて、冗長値（ＲＶ）を０に設定し、組織ビットをコードワードのパリティビットより高く優先順位付けすることができることに留意されたい。
【００５４】
例えば、自動ＡＣＫの後に適応ＨＡＲＱ再送アプローチを実行し、サブフレームｎ＋４においてＵＬアクセスデータとＵＬバックホールデータとの間の衝突を回避することができる。それに加えて、伝送タイミング間隔（ＴＴＩ）バンドリングが構成されうるシナリオでは、ＲＮは、次のＴＴＩでデータを受信することができ、この場合、ＲＮは再送を要求することができない。
【００５５】
図１５は、８サブフレームを１周期とするＨＡＲＱ動作に対する例示的な配分の図である。この例は、後方互換性を有するものとすることができる。この例では、バックホールリンクサブフレームセット１５１０は、サブフレーム２、３、６、および７に配分することができる。アクセスリンクサブフレームセット１５２０は、サブフレーム０、１、４、５、８、および９に配分することができる。この例では、サブフレーム８および９に対し、ＲＮによって初期ＷＴＲＵ  ＵＬグラントを禁じることができる。
【００５６】
サブフレーム８および９においてＵＬグラントをＷＴＲＵに送らないことによって、ＬＴＥ  ＷＴＲＵとの後方互換性を維持できることに留意されたい。例えば、サブフレーム０および１においてＷＴＲＵに送られたＵＬグラントは、それぞれアクセスサブフレーム４および５におけるアクセスリンク上のＵＬ  ＰＵＳＣＨ伝送のトリガーとなりうる。この例では、バックホールが異なるサブフレーム内で配分されているため、バックホールとの衝突は発生しえない。同様に、サブフレーム４および５においてＷＴＲＵに送られたＵＬグラントは、それぞれアクセスサブフレーム８および９におけるアクセスリンク上のＵＬ  ＰＵＳＣＨ伝送のトリガーとなりうる。
【００５７】
図１６は、ＤＬ  ＨＡＲＱおよびＵＬ  ＨＡＲＱの両方を使用するバックホールリンク上の例示的なＨＡＲＱプロセスの図である。図１６を参照すると、ＲＮは、サブフレームの第１のセットをバックホールリンク１６１０に配分することができることがわかる。サブフレームの第２のセットは、サブフレームの第２のセットがサブフレーム１６２０の第１のセットと互いに素となるようにアクセスリンクに配分することができる。この例では、サブフレームの第３のセットに対し、初期ＷＴＲＵ  ＵＬグラント１６３０を禁じることができる。ステップ１６４０で、サブフレーム２または３がバックホールリンクについて配分されている場合、ＲＮは、サブフレームｎ＋４  １６５０でＡＣＫ／ＮＡＣＫ  ＵＬフィードバックを送信することができる。ステップ１６４０で、サブフレーム２または３がアクセスリンクについて配分されている場合、ＲＮは、第１の利用可能なバックホールサブフレーム１６６０でＡＣＫ／ＮＡＣＫフィードバックを送信することができる。
【００５８】
バックホールリンクにおける早期制御チャネルレセプションをサポートするために、Ｒ−ＰＤＣＣＨサブフレームタイミングオフセットが使用されうる。そのサブフレームにおいて、および／または１つまたは複数の後のサブフレームにおいてＤＬリソースを割り当て、１つまたは複数の後のサブフレームにおいてＵＬリソースを割り当てるためにＲ−ＰＤＣＣＨが使用されうる。Ｒ−ＰＤＣＣＨが、ＲＮについてのスケジューリング情報の信号伝達がＲＮへ事前に行われるように構成されている場合、ＲＮは、バックホールリンクとアクセスリンクとの間の潜在的な衝突を回避するようにＤＬおよび／またはＵＬアクセスリンクをスケジュールすることができる。Ｒ−ＰＤＣＣＨ構成は、動的であるか、または半静的であるものとしてよい。この方法では、ｅＮＢが行った可能性のある決定に基づきＲＮがアクセスリンク上でリソース配分の決定を下すことができる協調リソース配分フレームワークを使用することができる。
【００５９】
上述のように、ＤＬバックホールは、ＭＢＳＦＮサブフレームを使用するＷＴＲＵ伝送に対してＲＮにおけるギャップを使用することができる。ＬＴＥでは、ｎ番のサブフレームから受信したＵＬグラントは、ｎ＋４番のサブフレームにおけるデータ伝送に対して有効であるものとしてよい。さらに、アップリンクＨＡＲＱ動作の同期的な性質により、ＷＴＲＵは、ｎ＋４番のサブフレーム内に受信したＡＣＫがないという条件の下でｎ＋８番のサブフレームにおいてアップリンクデータを再送することができる。ＷＴＲＵからの不要なデータ再送またはＷＴＲＵによる不要な同期外れ宣言を回避するために、ｅＮＢは、ＵＬデータの受信に対して確認応答することができる。しかし、バックホールサブフレーム定義にギャップがあるため、ｅＮＢは、ＵＬデータの受信に対して確認応答することができない場合がある。
【００６０】
以下の例では、ＤＬバックホールは、中継セル内のＭＢＳＦＮサブフレームを通じてＲＮ  ＤＬ伝送にギャップを形成することによって実現されうる。このメカニズムを使用することで、ＤＬにおけるアクセス／バックホール衝突を回避することができる。そのため、ＵＬ衝突のみを考えることができる。ＵＬ衝突に対処するために、ＵＬ衝突が発生した場合のインターフェース（ＵｎまたはＵｕ）優先順位付け、ＵＬバックホールサブフレームのＲＮへの事前信号伝達、および衝突を最小限度に抑えるためのアクセス／バックホールサブフレームパーティション分割に対するサブフレーム構成の事前定義を含む、３つの主要なタイプのソリューションが識別されうる。
【００６１】
インターフェース優先順位付けソリューションの１つの根拠は、それぞれのタイプのＵＬ衝突は異なるコストを伴うという事実であるものとしてよい。衝突のコストに応じて、バックホールリンク（Ｕｎインターフェース）より高くアクセスリンク（Ｕｕインターフェース）を優先順位付けすることは有益であると思われる。他のシナリオでは、Ｕｕより高くＵｎを優先順位付けする方が望ましい場合もある。典型的なソリューションでは、デフォルトで、バックホールリンク（Ｕｎ）がアクセスリンク（Ｕｕ）より高く優先順位付けされると仮定することができる。例えば、１つのソリューションでは、ＤＬ衝突についてバックホールより高くアクセスリンクを優先順位付けすることができるが、ＵＬ衝突に対して類似のソリューションを構成することはできない。したがって、ＵｕまたはＵｎをしかるべく優先順位付けするＵＬ衝突シナリオを検出した後にＵｎに対するＵｕの相対的優先度を方法および装置で決定することが望ましいであろう。
【００６２】
インターフェースの相対的優先度の決定を円滑に行えるようにするため、それぞれのＵＬ衝突のコストを評価することができる。ＲＮがＵｎ上のＵＬにおいて伝送したせいでＵｕ  ＵＬデータが喪失する衝突はコストが高いが、それは、結果として、Ｒ−ＷＴＲＵでの消費電力が増大し、Ｒ−ＷＴＲＵ  ＵＬデータ伝送によって引き起こされる干渉が増大し、Ｕｕ上の帯域幅が無駄に使われる可能性があるからである。
【００６３】
以下の例では、優先度は、サブフレームｎの終わりのところで決定することができる。優先度がＵｕインターフェースに付与された場合、サブフレームｎ＋４においてＵｎインターフェース上で伝送は実行されず、そのため、衝突が回避されうる。優先度がＵｎインターフェースに付与された場合、衝突はサブフレームｎ＋４で発生しうる。図１７は、Ｕｕ  ＵＬ  ＣＳＲがＵｎ  ＵＬデータと衝突する可能性がある場合のインターフェース優先度を決定するための例示的な方法の図である。このタイプの衝突の結果、ＲＮ  １７１０はＲ−ＷＴＲＵ  １７２０からのＵｕ  ＵＬ  ＣＳＲを受け損なうことがあり、またあまりコストがかかるわけでもない。このタイプの衝突の結果、致命的な障害を起こす代わりに、徐々に性能が低下してゆくことになる可能性がある。Ｕｕ  ＵＬ  ＣＳＲがＵｎ  ＵＬデータ１７３０と衝突する場合、ＲＮは、Ｕｎ上でＰＵＳＣＨ  １７５０を送信し、Ｕｕ上のＣＳＲが失敗することを許す（１７６０）ことによってＵｕ  １７４０より高くＵｎを優先順位付けすることができる。
【００６４】
図１８は、Ｕｕ  ＵＬ  ＡＣＫ／ＮＡＣＫがＵｎ  ＵＬデータと衝突する可能性がある場合のインターフェース優先度を決定するための例示的な方法の図である。このタイプの衝突は、ＵｕインターフェースがＡＣＫ／ＮＡＣＫの繰り返しを行うように構成されうる場合に発生する可能性がある。Ｕｕ  ＵＬ  ＡＣＫ／ＮＡＣＫがＵｎ  ＵＬデータ１８１０と衝突する場合、ＲＮは、Ｕｕ  １８２０より高くＵｎを優先順位付けし、Ｕｎ  ＵＬデータ１８３０をｅＮＢに送信することができる。
【００６５】
図１９は、Ｕｕ  ＵＬデータがＵｎ  ＵＬ  ＡＣＫ／ＮＡＣＫフィードバックと衝突する可能性がある場合のインターフェース優先度を決定するための例示的な方法の図である。Ｕｕ  ＵＬデータが、Ｕｎ  ＵＬ  ＡＣＫ／ＮＡＣＫフィードバック伝送１９１０と衝突する場合、Ｕｎインターフェースが優先順位付けされているという条件の下でのＲ−ＷＴＲＵによるデータのアクセスリンクＵＬ再送とＵｕインターフェースが優先順位付けされているという条件の下でのＲＮに対するｅＮＢによるデータのバックホールＤＬ再送との間にトレードオフの関係がありうる。一代替的形態では、Ｕｎに対するＵｕの相対的優先度を、ＲＮ  １９２０におけるＵＬバッファとＤＬバッファに格納されているデータの量に基づき決定することができる。例えば、ＲＮは、ＲＮ  ＵＬバッファがＵｎを超えるＵＬグラントをサポートするのに十分なデータを持たないという条件の下でＵｎより高くＵｕを優先順位付けすることができ、ＲＮは、ＲＮ  ＤＬバッファがＵｕを超えるＤＬグラントをサポートするのに十分なデータを持たないという条件の下で、または上記条件の両方が真であるという条件の下でＵｕより高くＵｎを優先順位付けすることができ、ＲＮは、待ち時間などの他のＱｏＳ評価指標に基づき相対的優先度を決定することができる。
【００６６】
図２０は、Ｕｕ  ＵＬデータがＵｎ  ＵＬデータと衝突する可能性がある場合のインターフェース優先度を決定するための例示的な方法の図である。Ｕｕ  ＵＬデータがＵｎ  ＵＬデータ２０１０と衝突する場合、ＲＮ  ２０２０におけるバッファステータスに応じて、ＵｕまたはＵｎのいずれかに優先度を動的に割り当てることができる。より具体的には、ＲＮバッファにバッファリングされているＵＬデータのサイズが大きく、Ｕｎインターフェースが輻輳している可能性のあることを示している場合、Ｕｎ  ＵＬデータ伝送に優先度を割り当てることができる。逆に、ＲＮバッファにあまりデータが入っていないという条件の下で、Ｕｕ  ＵＬデータに優先度を割り当てることができる。Ｕｎ  ＵＬデータとＵｕ  ＵＬデータとの間の衝突に基づきＵｎとＵｕの相対的優先度を動的に変更するメカニズムは、ＲＮにおけるフロー制御の一形態を実現することができる。
【００６７】
上述の方法を使用して、上述の衝突シナリオに対するインターフェースの相対的優先度を指定することができ、その結果を表２にまとめた。
【００６８】
【表２−１】
2012530470.tif 000006
【００６９】
【表２−２】
2012530470.tif 000007
【００７０】
一例では、ＵｎまたはＵｕのいずれかのインターフェース上のＵＬまたはＤＬバッファは、ＱｏＳに基づき論理チャネル毎に直接的に、または間接的に保持することができる。Ｕｕインターフェースデータに対するＵｎインターフェースデータの優先順位付けは、スペクトル効率全体に寄与しうる以下の目的関数により実行することができる。１つの目的関数は、ＤＬバッファの内容とＵＬバッファの内容のサイズの相対的な比がスペクトル効率の目標を同時に達成できることに対してマイナスの影響を及ぼしえないものであるとしてよい。この一例は、ＵＬにおける３．７５ビット／ＭＨｚに対するＤＬにおける５ｂｐｓ／Ｈｚであるものとしてよい。別の目的関数は、新しくキューに入れたデータの伝送キューにおける待ち時間が最小にされるものとしてよい。例えば、データはキューに入れられて待っていないが、別のキューからデータを送信する機会がありうる。これは、後者が伝送グラントを保証する十分なデータがない場合に空である可能性があるという条件に基づくものとしてよい。第３の目的関数は、ＱｏＳパラメータである、例えば、ＧＢＲ（保証ビットレート）対非ＧＢＲ、ＭＢＲ（最大ビットレート）、ＡＭＢＲ（総合最大ビットレート）、Ｌ２ＰＤＢ（レイヤ２（Ｌ２）パケット遅延割当量）、Ｌ２ＰＬＲ（Ｌ２パケット損失率）、およびＡＲＰ（アロケーションリテンションプライオリティ）を表すＱＣＩ（ＱｏＳクラス識別子）によって識別される一般的ＱｏＳ要件であるものとしてよい。
【００７１】
この例では、上記の目的関数に基づき、データＵｕに対するＵｎ上のデータは以下のように優先順位付けすることができる。ρはＤＬスペクトル効率とＵＬスペクトル効率との比として表されるものとしてよい。ＬＴＥの場合ＵＬにおける３．７５ビット／ＭＨｚに対するＤＬにおける５ｂｐｓ／Ｈｚを仮定すると、比ρは、１．３３であるものとしてよい。βは、物理層信号伝達に必要な帯域幅を推定した後のデータ伝送に利用可能なＤＬ帯域幅とＵＬ帯域幅との比として表すことができる。与えられたＱｏＳレベルに対するＤＬ  Ｕｎインターフェースバッファの内容の総サイズ（バッファ占有率）と同じＱｏＳレベルに対する総ＵＬ  Ｕｕインターフェースバッファとの比は、ρとβとの積、つまりρ＊βとすることができる。異なる伝送優先度レベル（ＱＯＳ／待ち時間）を有するデータでは、新しく追加されたデータに対する予想待ち時間が最小のバッファが、インターフェース優先度を決定しうる。
【００７２】
図２１は、ＲＮへのＵＬバックホールサブフレームの事前信号伝達を使用して衝突を回避するための例示的な方法の図である。図２１を参照すると、ＲＮは、ＵＬリソースをバックホールリンク２１１０上に付与することができることがわかる。次いで、ＲＮは、アクセスリンクとバックホールリンク２１２０との間のＵＬ衝突を回避するようにアクセスリンク上のＷＴＲＵをスケジュールすることができる。例えば、Ｒ−ＰＤＣＣＨでは、後のサブフレームにおいてＤＬ割り当てまたはＵＬグラントを行って、Ｒ−ＰＤＣＣＨ対Ｒ−ＰＤＳＣＨがδＤサブフレーム（δＤ＞１）となり、Ｒ−ＰＤＣＣＨ対ＰＵＳＣＨがδＵ＞４となるようにできる。Ｒ−ＰＤＣＣＨが１つまたは複数の後のサブフレームにおいてバックホールリンク上にアップリンクリソースを付与するという条件の下で、ＲＮは、ＵＬデータバックホールにどのサブフレームが使用されうるかを予め知っておくことができる。これにより、ＲＮは、アクセスリンクとバックホールＵＬデータとの間のＵＬ衝突が、ＵＬ衝突を引き起こさないアクセスリンク上のＵＬおよびＤＬ伝送をスケジュールすることによって回避されるか、または最小限度に抑えられるようにアクセスリンク上のＲ−ＷＴＲＵをスケジュールすることができる。このメカニズムで回避されうる衝突の例は、表２のシナリオ２、４、および５を含む。
【００７３】
Ｒ−ＰＤＣＣＨが１つまたは複数の後のサブフレームにおいてバックホールリンク上にダウンリンクリソースを割り当てるという条件の下で、ＲＮは、バックホール上でＡＣＫ／ＮＡＣＫフィードバックのＵＬ伝送にどのようなサブフレームが必要になりうるかを予め知っておくことができる。同様に、Ｒ−ＰＤＣＣＨがｎ＋４より大きい番号のサブフレームにおいてバックホールリンク上にアップリンクリソースを付与するという条件の下で、ＲＮは、バックホール要件を予め知っておき、アクセスリンク上のスケジューリングの競合を回避することができる。次いで、ＲＮは、ＵＬアクセスリンクとＵＬ  ＡＣＫ／ＮＡＣＫバックホールとの間の衝突が回避されるか、または最小限度に抑えられるようにＲ−ＷＴＲＵをスケジュールすることができる。この場合に回避されうる衝突の例は、表２の１および８である。
【００７４】
Ｒ−ＰＤＣＣＨとＤＬ割り当て／ＵＬグラントとの間の遅延により、ＲＮは、バックホールリンク上のＤＬとＵＬの両方の割り当てを予め知っておくことができ、したがって、ＵＬ衝突を回避するか、または最小限度に抑えるようにＲＮに関連付けられているＷＴＲＵをスケジュールすることができる。Ｒ−ＰＤＣＣＨとＲ−ＰＤＳＣＨに対するＤＬリソース割り当てとの間の遅延δＤまたはＵＬグラントに対する追加遅延の結果として、バックホールインターフェース上のＤＬ＆ＵＬ  ＨＡＲＱプロセスのタイミングを、以下で説明するように修正することができる。この例示的な方法を使用することで、サブフレームｎにおいてＲＮに関連付けられているＷＴＲＵにＵＬグラントを送らないことによって、表２のシナリオ５の衝突を回避することができる。表２のシナリオ７の例示的な衝突は、Ｕｕ  ＵＬ  ＡＣＫ／ＮＡＣＫがＵｎ  ＵＬ  ＣＳＲと異なるサブフレームで送られるようにＤＬ割り当てを伝送するＲ−ＰＤＣＣＨと対応するＤＬデータとの間の遅延を設定することによって回避できる。
【００７５】
図２２は、ＲＴＴ（ラウンドトリップタイム）およびＨＡＲＱプロセスの数が増える可能性のある衝突を回避するための例示的な方法の図である。図２２に示されている例は、δＤ＝２に基づく。図２２に示されているように、ＤＬ割り当て２２１０は、関連付けられている遅延δＤ  ２２２０を有するものとしてよい。δＤ  ２１２０が値２を有している場合、ＲＮ  ２２３０は、サブフレーム６においてＡＣＫ／ＮＡＣＫ  ２２４０を送信することができる。δＤサブフレーム遅延ＤＬ割り当ておよび／またはさらには、δＤ＋４遅延ＵＬグラント２２５０が適用されるという条件の下で、ＨＡＲＱ  ＲＴＴをδＤ＋８に増やすことができる。それに加えて、ＨＡＲＱプロセスの数をＮＨＡＲＱ＝δＤ＋８に増やすことができる。ＤＬの場合、ｎ番のＨＡＲＱプロセスに対するデータがｎ番のサブフレームで送信することができると仮定すると、対応する制御をｎ−δＤ番のサブフレームで信号により伝達することができる。ｎ番のプロセスに対するＵＬ  ＡＣＫ／ＮＡＣＫは、ｎ＋４番のサブフレームにおいて、そのＨＡＲＱプロセスに対するＤＬ制御情報がｎ＋８番のサブフレームに出現しうるように送信することができる。したがって、ｎ番のＨＡＲＱプロセスに対する制御Ｒ−ＰＤＣＣＨの２つの連続する伝送の間の期間は、（ｎ＋８）−（ｎ−δＤ）＝８＋δＤとすることができる。したがって、ＲＴＴおよびＨＡＲＱプロセスの数を値８から８＋δＤに増やすことができる。
【００７６】
遅延δＤ  ２２２０は、後述の制約のトレードオフの関係として選択することができる。ＨＡＲＱプロセスの数は、受信機において必要なソフトメモリの量が最小に抑えられ、ＨＡＲＱプロセス番号を信号で伝達するためのビットの数が著しく増えないように少ない数に抑えることができる。信号伝達ビット数を制限するための一代替的方法は、ＨＡＲＱプロセスの数を１６に制限することであり、その結果、ＨＡＲＱプロセス番号を表すためのビットの数は３から４に増えるものとしてよい。これは、８ｍｓの遅延δＤまたはサブフレームに対する上限を設定することができる。
【００７７】
δＤの値が大きいと、ＲＮはこの事前通知を利用してアクセスリンク上でＲ−ＷＴＲＵを適切にスケジュールすることができる。ループ適応プロセスの総合遅延は、時間の経過とともにチャネルがゆっくりと変化するのであれば、固定ＲＮに対しては設計上の問題になりえない。例えば、バックホールチャネルのＮＬＯＳ（見通し外）要素に対し５Ｈｚのドップラー周波数を仮定すると、チャネルの可干渉時間は２００ｍｓになるものとしてよい。Ｒ−ＰＤＣＣＨとＲ−ＰＤＳＣＨとの間の遅延δＤのいくつかの値に対して、δＤ＋８の総ループ遅延は、チャネルの可干渉時間に比べて著しく小さく、そのため、リンク適応プロセスの性能低下は発生しえない。モバイルＲＮの場合については、Ｒ−ＰＤＳＣＨデータ伝送が陳腐化した変調および制御方式（ＭＣＳ）を使用しないように遅延δＤを比較的小さく保持することが望ましい場合がある。その場合、１つのソリューションは、ＣＱＩ／ＲＩ／ＰＭＩとともにＳＲＳ（サウンディング基準信号）の周波数を高くして適切なスケジューリング決定を下せるようにすることであると思われる。
【００７８】
前の説明では、ＤＬ  ＨＡＲＱに対するＲ−ＰＤＣＣＨとＲ−ＰＤＳＣＨとの間の遅延δＤの影響について述べた。バックホールＵＬ  ＨＡＲＱプロセスのタイミングに対するＲ−ＰＤＣＣＨとＵＬグラントＲ−ＰＵＳＣＨとの間の遅延の影響にも同様の説明が当てはまる。伝送を行う機会に応じられるように、ＨＡＲＱプロセスの数を増やす、したがってＲＴＴを増やすことを実行することができる。しかし、ＨＡＲＱプロセスの数を増やすことは、ＭＢＳＦＮサブフレーム配分に対応するＤＬ伝送の機会のみが考慮されているという条件の下では必要でない場合がある。
【００７９】
図２３は、衝突を回避するための例示的な方法の図である。図２３を参照すると、ｅＮＢがＨＡＲＱタイミングオフセット値２３１０を選択することができることがわかる。次いで、ｅＮＢは、伝送２３２０の準備が整っているＨＡＲＱプロセスを識別し、ＭＢＳＦＮサブフレームｎを識別されたＨＡＲＱプロセス２３３０に割り当てることができる。
【００８０】
図２４は、ＨＡＲＱタイミングオフセットを含むＲ−ＰＤＣＣＨを使用して衝突を回避するための例示的な方法の図である。Ｒ−ＰＤＣＣＨは、ＤＬ  ＨＡＲＱタイミング開始サブフレームを示すｎ番のサブフレームに関するＤＬ  ＨＡＲＱタイミングオフセットを含みうるＰＤＳＣＨに対するグラントでｎ番のサブフレームにおいて受信されうる。オフセットは、リソース割り当てがｎ番のサブフレームで有効であるという条件の下で０とすることができる。同様に、Ｒ−ＰＤＣＣＨは、ＵＬ  ＨＡＲＱタイミング開始サブフレームを示すｎ番のサブフレームに関するＵＬ  ＨＡＲＱタイミングオフセットを含みうるＰＵＳＣＨに対するグラントでｎ番のサブフレームにおいて受信されうる。オフセットは、リソース割り当てがｎ＋４番のサブフレームで有効であるという条件の下で０とすることができる。
【００８１】
このアプローチでは、Ｕｎインターフェース上のＨＡＲＱ動作に対してＬＴＥのサブフレーム周期性を保持することができる。オフセットは、ＵＬリソースまたはＤＬリソース配分情報を伝送するｎ番のサブフレームに関して時間領域内でＨＡＲＱタイムラインをシフトする、タイムライン変換と同等のものとしてよい。タイミングオフセット値は、配分されたグラントが最初にアクティブになったときの時間の指標として解釈することもできる。タイミングオフセットを定義するこの技術により、ＬＴＥに関するＵｎインターフェース上のデータ転送待ち時間の増大を回避することができる。
【００８２】
オフセット値は、バックホール通信のためにＲＮに半静的にすでに伝達されているＤＬおよびＵＬサブフレームおよびＲＮへの事前ｅＮＢグラント割り当てに関して知られている情報に基づきｅＮＢによって盲目的に選択されうる。オフセット値の選択は、ＣＳＲおよびＡＣＫ繰り返しスケジュールおよび／または半永久的リソース配分などのアクセスリンク上のＲＮによってなされるスケジュール決定をｅＮＢが認識しているという条件の下で、ｅＮＢによってさらに精密化することができる。
【００８３】
それぞれの伝送時間間隔（ＴＴＩ）において、ｅＮＢは、伝送の準備が整っているすべてのＨＡＲＱプロセス、例えば、各ピアによって肯定確認応答されたＨＡＲＱプロセスを識別することができる。ｅＮＢは、適切なＨＡＲＱタイミングオフセットでＤＬまたはＵＬグラントに対してＨＡＲＱプロセスを割り当てることができる。タイミングオフセットは、ＵＬグラント割り当て毎に異なっていてもよい。
【００８４】
ＤＬ  ＨＡＲＱタイミングオフセット値とＵＬ  ＨＡＲＱタイミングオフセット値は両方とも同じでもよく、この場合、これらはＲ−ＰＤＣＣＨフォーマットの同じ情報要素（ＩＥ）を使用して信号により伝達できる。あるいは、ＤＬオフセット値は、アップリンクオフセット値と異なっていてもよく、この場合、これらは異なるＩＥを使用して信号により伝達できる。
【００８５】
上述の高度な信号伝達アプローチを使用することで、初めての伝送衝突を回避するか、または最小限度に抑えることができる。再送によって引き起こされる衝突は、これらのアプローチでは回避可能でない場合がある。このような方法が再送によって引き起こされる衝突を回避するという条件の下であっても、これらはスペクトルリソースの使用度に関して不効率な場合がある。
【００８６】
図２４を参照すると、ｅＮＢ  ２４０５がサブフレームｎにおいてＲ−ＰＤＣＣＨ上でＵＬグラント２４１０を送信することができることがわかる。ＵＬグラント２４１０は、ＨＡＲＱタイミングオフセットを含みうる。この例では、ＨＡＲＱタイミングオフセットは２であり、したがって、ＨＡＲＱタイミング開始点２４１５はサブフレームｎ＋２である。次いで、ＲＮ  ２４２０は、サブフレームｎ＋６においてＰＵＳＣＨ上でＵＬバックホールデータ２４２５を送信することができる。それに応答して、ｅＮＢ  ２４０５は、サブフレームｎ＋１０においてＰＨＩＣＨ上でＡＣＫ／ＮＡＣＫ  ２４３０を送信することができる。
【００８７】
図２５は、ＨＡＲＱタイミングオフセットを含むＲ−ＰＤＣＣＨを使用して衝突を回避するための例示的な方法の図である。図２５を参照すると、ｅＮＢ  ２５０５がサブフレームｎにおいてＲ−ＰＤＣＣＨ上でＤＬグラント２５１０を送信することができることがわかる。ＤＬグラント２５１０は、ＨＡＲＱタイミングオフセットを含みうる。この例では、ＨＡＲＱタイミングオフセットは２であり、したがって、ｅＮＢ  ２５０５は、サブフレームｎ＋２においてＰＤＳＣＨ上でデータ２５１５を送信することができる。それに応答して、ＲＮ  ２５２０は、サブフレームｎ＋６においてＡＣＫ／ＮＡＣＫ  ２５２５を送信することができる。次いで、ｅＮＢ  ２５０５は、サブフレームｎ＋１０、ｎ＋１４などにおいてデータ２５３０を再送することができる。
【００８８】
ＭＢＳＦＮサブフレーム割り当てパターンに応じて、いくつかの衝突が容易に検出可能な場合がある。したがって、ＨＡＲＱタイミングの変換は、上述のようにルールを明示的に信号で伝達するのとは反対に暗黙のルールを使用して実行することができる。
【００８９】
第１の例では、ＭＢＳＦＮパターンは、１０ｍｓの周期で割り当てることができる。この例では、ＤＬサブフレームｋ＝１、１１、２１、３１は、ＭＢＳＦＮサブフレームとしてラベル付けされ、４つの無線フレームにおけるサブフレームは、０から３９まで番号を付けて並べることができる。そこで、ｅＮＢは、サブフレームｋ＝１、１１、．．．におけるＤＬでＲＮに送信することができ、ＲＮは、それに応じて、サブフレームｋ＋４＝５、１５、２５、３５においてアップリンク上でｅＮＢに送信することができる。したがって、ブロックされうる第２のＷＴＲＵに対するＵＬ  ＨＡＲＱプロセスは、（ｋ＋４）  ｍｏｄ  ８＝５、７、１、３である。こうして、奇数のＵＬ  ＨＡＲＱプロセスのみを、４０ｍｓおきに１回、または伝送機会５回に１回ブロックすることができる。偶数のＨＡＲＱプロセスには、ブロッキングは行われない。この場合、ｅＮＢとＲＮとの間のリンクは１０ｍｓおきに利用可能であるものとすることができる。
【００９０】
第２の例では、ＭＢＳＦＮパターンは、５ｍｓの周期で割り当てることができる。この例では、サブフレームｋ＝１、６、１１、１６、２１、２６、３１、３６は、ＭＢＳＦＮサブフレームとしてラベル付けされ、４つの無線フレームにおけるサブフレームは、０から３９まで番号を付けて並べることができる。これに応じて、ブロックされうる第２のＷＴＲＵに対するＵＬ  ＨＡＲＱプロセスは、（ｋ＋４）  ｍｏｄ  ８＝５、２、７、４、１、６、３、０である。こうして、それぞれのＵＬ  ＨＡＲＱプロセスは、４０ｍｓおきに１回、またはＵＬ  ＨＡＲＱプロセスの伝送機会５回に１回ブロックすることができる。この例では、ｅＮＢとＲＮとの間のリンクは５ｍｓおきに利用可能であるものとすることができる。
【００９１】
これらの例では、時間領域におけるＨＡＲＱタイミングの変換は、リソースグラント配分を４つのサブフレームのオフセットの場合に有効であるとみなすことなどの暗黙のルールを介して導出することができる。例えば、ＵＬでは、第１の伝送は、ｎ＋４番の代わりにｎ＋８番のサブフレームにあるものとしてよい。
【００９２】
（実施形態）
１．アクセスリンク伝送とバックホールリンク伝送との間の衝突を回避するための方法であって、
サブフレームの第１のセットを配分することと、
サブフレームの第２のセットを配分することとを含み、サブフレームの第２のセットはサブフレームの第１のセットに関してサブフレームの重なり合わないセットであることを特徴とする方法。
【００９３】
２．サブフレームの第１のセットはバックホールリンク伝送に配分されることを特徴とする実施形態１の方法。
【００９４】
３．サブフレームの第２のセットはアクセスリンク伝送に配分されることを特徴とする実施形態１または２の方法。
【００９５】
４．サブフレームの第１のセットとサブフレームの第２のセットの配分は、周期的パターンであることを特徴とする前記実施形態のいずれか１つの実施形態の方法。
【００９６】
５．周期的パターンは５つのサブフレームを含むことを特徴とする実施形態４の方法。
【００９７】
６．５つのサブフレームの周期的パターンは３つのアクセスリンク伝送サブフレームを含むことを特徴とする実施形態５の方法。
【００９８】
７．３つのアクセスリンク伝送サブフレームの後に２つのバックホールリンク伝送サブフレームが続くことを特徴とする実施形態６の方法。
【００９９】
８．ＡＣＫ／ＮＡＣＫ（肯定確認応答／否定確認応答）待ち時間を修正することを
さらに含むことを特徴とする前記実施形態のいずれか１つの実施形態の方法。
【０１００】
９．ＡＣＫ／ＮＡＣＫ待ち時間は、４ミリ秒（ｍｓ）から５ｍｓに修正されることを特徴とする実施形態８の方法。
【０１０１】
１０．サブフレームの第３のセットをｅＮＢ（ｅｖｏｌｖｅｄ  Ｎｏｄｅ−Ｂ）とＷＴＲＵ（ワイヤレス送信／受信ユニット）との間のトラヒックに配分することを
さらに含むことを特徴とする前記実施形態のいずれか１つの実施形態の方法。
【０１０２】
１１．サブフレームの第４のセットに対し、初期ＷＴＲＵ（ワイヤレス送信／受信ユニット）ＵＬ（アップリンク）グラントを禁じることを
さらに含むことを特徴とする前記実施形態のいずれか１つの実施形態の方法。
【０１０３】
１２．サブフレームがバックホールリンク伝送に配分されるという条件の下で、サブフレームｎ＋４においてＡＣＫ／ＮＡＣＫ（肯定確認応答／否定確認応答）フィードバックを送信することを
さらに含むことを特徴とする前記実施形態のいずれか１つの実施形態の方法。
【０１０４】
１３．サブフレームがバックホールリンク伝送に配分されないという条件の下で、第１の利用可能なバックホールサブフレームにおいてＡＣＫ／ＮＡＣＫ（肯定確認応答／否定確認応答）フィードバックを送信することを
さらに含むことを特徴とする前記実施形態のいずれか１つの実施形態の方法。
【０１０５】
１４．サブフレームはサブフレーム２またはサブフレーム３であることを特徴とする実施形態１３の方法。
【０１０６】
１５．ｅＮＢ（ｅｖｏｌｖｅｄ  Ｎｏｄｅ−Ｂ）からデータ伝送を受信することを
さらに含むことを特徴とする前記実施形態のいずれか１つの実施形態の方法。
【０１０７】
１６．ＵＬ（アップリンク）グラントをＷＴＲＵ（ワイヤレス送信／受信ユニット）に、第１のＡＣＫ（肯定確認応答）をｅＮＢに送信することをさらに含み、
送信することは受信されたデータ伝送に応答して行われることを特徴とする前記実施形態のいずれか１つの実施形態の方法。
【０１０８】
１７．自動ＡＣＫ（肯定確認応答）をＷＴＲＵ（ワイヤレス送信／受信ユニット）に送信することを
さらに含むことを特徴とする前記実施形態のいずれか１つの実施形態の方法。
【０１０９】
１８．第２のＵＬグラントをＷＴＲＵに送信することを
さらに含むことを特徴とする実施形態１６または１７の方法。
【０１１０】
１９．自動ＡＣＫは、ＷＴＲＵからのデータ伝送を受け損なったという条件の下で送信されることを特徴とする実施形態１７の方法。
【０１１１】
２０．自動ＡＣＫは、ＷＴＲＵからデータ伝送を受信したという条件の下で送信されることを特徴とする実施形態１７の方法。
【０１１２】
２１．衝突を検出することを
さらに含むことを特徴とする前記実施形態のいずれか１つの実施形態の方法。
【０１１３】
２２．衝突発生タイプに基づきインターフェース優先度を決定することを
さらに含むことを特徴とする前記実施形態のいずれか１つの実施形態の方法。
【０１１４】
２３．衝突発生タイプは、ＵｕリンクＵＬ（アップリンク）ＣＳＲ（チャネルサウンディング応答）とＵｎリンクＵＬデータとの衝突であることを特徴とする実施形態２２の方法。
【０１１５】
２４．Ｕｕリンクより高くＵｎリンクを優先順位付けすることを
さらに含むことを特徴とする前記実施形態のいずれか１つの実施形態の方法。
【０１１６】
２５．Ｕｎリンクの上でｅＮＢ（ｅｖｏｌｖｅｄ  Ｎｏｄｅ−Ｂ）にデータを送信することと、ＣＳＲ（チャネルサウンディング応答）がＵｕリンク上で失敗することを許すことを
さらに含むことを特徴とする前記実施形態のいずれか１つの実施形態の方法。
【０１１７】
２６．衝突発生タイプは、ＵｕリンクＵＬ（アップリンク）ＡＣＫ／ＮＡＣＫ（肯定確認応答／否定確認応答）とＵｎリンクＵＬデータとの衝突であることを特徴とする実施形態２２の方法。
【０１１８】
２７．ＵｕリンクがＡＣＫ／ＮＡＣＫ（肯定確認応答／否定確認応答）繰り返しに対して構成されているという条件の下で、Ｕｕリンクより高くＵｎリンクを優先順位付けすることを
さらに含むことを特徴とする前記実施形態のいずれか１つの実施形態の方法。
【０１１９】
２８．Ｕｎリンクの上でデータをｅＮＢ（ｅｖｏｌｖｅｄ  Ｎｏｄｅ−Ｂ）に送信することを
さらに含むことを特徴とする前記実施形態のいずれか１つの実施形態の方法。
【０１２０】
２９．衝突発生タイプは、ＵｕリンクＵＬ（アップリンク）データとＵｎリンクＵＬＡＣＫ／ＮＡＣＫ（肯定確認応答／否定確認応答）フィードバックとの衝突であることを特徴とする実施形態２２の方法。
【０１２１】
３０．ＵＬバッファおよびＤＬ（ダウンリンク）バッファに格納されているデータの量に基づきインターフェース優先度を決定することを
さらに含むことを特徴とする前記実施形態のいずれか１つの実施形態の方法。
【０１２２】
３１．スペクトル効率要件に基づきインターフェース優先度を決定することを
さらに含むことを特徴とする前記実施形態のいずれか１つの実施形態の方法。
【０１２３】
３２．ＱｏＳ（サービス品質）要件に基づきインターフェース優先度を決定することを
さらに含むことを特徴とする前記実施形態のいずれか１つの実施形態の方法。
【０１２４】
３３．衝突発生タイプは、ＵｕリンクＵＬ（アップリンク）データとＵｎリンクＵＬデータとの衝突であることを特徴とする実施形態２２の方法。
【０１２５】
３４．バッファステータスに基づきインターフェース優先度を動的に割り当てることを
さらに含むことを特徴とする前記実施形態のいずれか１つの実施形態の方法。
【０１２６】
３５．この方法はＲＮ（中継ノード）によって実行されることを特徴とする前記実施形態のいずれか１つの実施形態の方法。
【０１２７】
３６．この方法はｅＮＢ（ｅｖｏｌｖｅｄ  Ｎｏｄｅ−Ｂ）によって実行されることを特徴とする前記実施形態のいずれか１つの実施形態の方法。
【０１２８】
３７．この方法はＷＴＲＵ（ワイヤレス送信／受信ユニット）によって実行されることを特徴とする前記実施形態のいずれか１つの実施形態の方法。
【０１２９】
３８．アクセスリンク伝送とバックホールリンク伝送との間の衝突を回避するためのＲＮ（中継ノード）であって、
サブフレームの第１のセットを配分し、
サブフレームの第２のセットを配分するように構成されたプロセッサを備え、
サブフレームの第２のセットはサブフレームの第１のセットに関してサブフレームの重なり合わないセットであることを特徴とするＲＮ。
【０１３０】
３９．プロセッサは、サブフレームの第１のセットをバックホールリンク伝送に配分するように構成されることを特徴とする実施形態３８のＲＮ。
【０１３１】
４０．プロセッサは、サブフレームの第２のセットをアクセスリンク伝送に配分するように構成されることを特徴とする実施形態３８または３９のＲＮ。
【０１３２】
４１．ｅＮＢ（ｅｖｏｌｖｅｄ  Ｎｏｄｅ−Ｂ）からデータ伝送を受信するように構成されている受信機を
さらに備えることを特徴とする実施形態３８〜４０のいずれか１つの実施形態のＲＮ。
【０１３３】
４２．受信されたデータ伝送に応答してＵＬ（アップリンク）グラントをＷＴＲＵ（ワイヤレス送信／受信ユニット）に、および第１のＡＣＫ（肯定確認応答）をｅＮＢに送信し、
自動ＡＣＫをＷＴＲＵに送信し、
第２のＵＬグラントをＷＴＲＵに送信するように構成されている
送信機をさらに備えることを特徴とする実施形態３８〜４１のいずれか１つの実施形態のＲＮ。
【０１３４】
４３．プロセッサは、衝突を検出するように構成されることを特徴とする実施形態３８〜４２のいずれか１つの実施形態のＲＮ。
【０１３５】
４４．プロセッサは、衝突発生タイプに基づきインターフェース優先度を決定するように構成されることを特徴とする実施形態３８〜４３のいずれか１つの実施形態のＲＮ。
【０１３６】
４５．プロセッサはリソースのクロススケジューリングを実行するようにさらに構成されており、ＲＮはサブフレームｎにおいてＤＬ（ダウンリンク）グラントを送信するように構成されている送信機をさらに備え、サブフレームｎはサブフレームｎ＋ｋにおいて有効であることを特徴とする実施形態３８〜４４のいずれか１つの実施形態のＲＮ。
【０１３７】
４６．プロセッサはリソースのクロススケジューリングを実行するようにさらに構成されており、ＲＮは
ＨＡＲＱ（ハイブリッド自動再送要求）タイミングを基準点として使用してサブフレームｎにおいてＤＬ（ダウンリンク）グラントを送信するように構成されている送信機をさらに備えることを特徴とする実施形態３８〜４５のいずれか１つの実施形態のＲＮ。
【０１３８】
４７．アクセスリンク伝送とバックホールリンク伝送との間の衝突を回避するためのＷＴＲＵ（ワイヤレス送信／受信ユニット）であって、
配分されたサブフレームの第１のセットを受信し、
配分されたサブフレームの第２のセットを受信するように構成された受信機を備え、
サブフレームの第２のセットはサブフレームの第１のセットに関してサブフレームの重なり合わないセットであることを特徴とするＷＴＲＵ。
【０１３９】
４８．受信機は、バックホールリンク伝送に配分された配分済みサブフレームの第１のセットを受信するように構成されることを特徴とする実施形態４７のＷＴＲＵ。
【０１４０】
４９．受信機は、アクセスリンク伝送に配分された配分済みサブフレームの第２のセットを受信するように構成されることを特徴とする実施形態４７または４８のＷＴＲＵ。
【０１４１】
５０．ｅＮＢ（ｅｖｏｌｖｅｄ  Ｎｏｄｅ−Ｂ）からデータ伝送を受信するように構成されている受信機を
さらに備えることを特徴とする実施形態４７〜４９のいずれか１つの実施形態のＷＴＲＵ。
【０１４２】
５１．受信機は、
ＵＬ（アップリンク）グラントを受信し、
自動ＡＣＫ（肯定確認応答）を受信し、
第２のＵＬグラントを受信するようにさらに構成されることを特徴とする実施形態４７〜５０のいずれか１つの実施形態のＷＴＲＵ。
【０１４３】
５２．衝突を検出するように構成されているプロセッサをさらに備えることを特徴とする実施形態４７〜５１のいずれか１つの実施形態のＷＴＲＵ。
【０１４４】
５３．プロセッサは、衝突発生タイプに基づきインターフェース優先度を決定するようにさらに構成されることを特徴とする実施形態５２のＷＴＲＵ。
【０１４５】
５４．受信機は、サブフレームｎにおいてダウンリンク（ＤＬ）グラントを受信するようにさらに構成され、サブフレームｎはサブフレームｎ＋ｋにおいて有効であることを特徴とする実施形態４７〜５３のＷＴＲＵ。
【０１４６】
５５．受信機は、ＨＡＲＱ（ハイブリッド自動再送要求）タイミングを基準点として使用してサブフレームｎにおいてＤＬ（ダウンリンク）グラントを受信するようにさらに構成されることを特徴とする実施形態４７〜５４のいずれか１つの実施形態のＷＴＲＵ。
【０１４７】
５６．アクセスリンク伝送とバックホールリンク伝送との間の衝突を回避するためのｅＮＢ（ｅｖｏｌｖｅｄ  Ｎｏｄｅ−Ｂ）であって、
配分されたサブフレームの第１のセットを受信し、
配分されたサブフレームの第２のセットを受信するように構成された受信機を備え、
サブフレームの第２のセットはサブフレームの第１のセットに関してサブフレームの重なり合わないセットであることを特徴とするｅＮＢ。
【０１４８】
５７．受信機は、バックホールリンク伝送に配分された配分済みサブフレームの第１のセットを受信するように構成されることを特徴とする実施形態５６のｅＮＢ。
【０１４９】
５８．受信機は、アクセスリンク伝送に配分された配分済みサブフレームの第２のセットを受信するように構成されることを特徴とする実施形態５６または５７のｅＮＢ。
【０１５０】
５９．ＷＴＲＵ（ワイヤレス送信／受信ユニット）またはＲＮ（中継ノード）にデータ伝送を送信するように構成されている送信機を
さらに備えることを特徴とする実施形態５６〜５８のいずれか１つの実施形態のｅＮＢ。
【０１５１】
６０．受信機は、データ伝送に応答してｅＮＢへの第１のＡＣＫ（肯定確認応答）を受信するようにさらに構成されることを特徴とする実施形態５６〜５９のいずれか１つの実施形態のｅＮＢ。
【０１５２】
６１．衝突を検出するように構成されているプロセッサをさらに備えることを特徴とする実施形態５６〜６０のいずれか１つの実施形態のｅＮＢ。
【０１５３】
６２．プロセッサは、衝突発生タイプに基づきインターフェース優先度を決定するように構成されることを特徴とする実施形態６１のｅＮＢ。
【０１５４】
６３．受信機は、サブフレームｎにおいてダウンリンク（ＤＬ）グラントを受信するようにさらに構成され、サブフレームｎはサブフレームｎ＋ｋにおいて有効であることを特徴とする実施形態５６〜６２のｅＮＢ。
【０１５５】
６４．受信機は、ＨＡＲＱ（ハイブリッド自動再送要求）タイミングを基準点として使用してサブフレームｎにおいてＤＬ（ダウンリンク）グラントを受信するようにさらに構成されることを特徴とする実施形態５６〜６３のいずれか１つの実施形態のｅＮＢ。
【０１５６】
特徴および要素は、特定の組み合わせを用いて説明されているが、それぞれの特徴または要素は、他の特徴および要素なしで単独で、または他の特徴および要素とのさまざまな組み合わせで、または他の特徴および要素なしで使用することができる。本明細書で取りあげられている方法または流れ図は、汎用コンピュータまたはプロセッサにより実行できるようにコンピュータ可読記憶媒体内に組み込まれたコンピュータプログラム、ソフトウェア、またはファームウェアにより実装されうる。コンピュータ可読記憶媒体の実施例として、読み取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光学媒体がある。
【０１５７】
好適なプロセッサとして、例えば、汎用プロセッサ、専用プロセッサ、従来型のプロセッサ、デジタルシグナルプロセッサ（ＤＳＰ）、複数のマイクロプロセッサ、ＤＳＰコアとの関連性を持つ１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他のタイプの集積回路（ＩＣ）および／または状態機械がある。
【０１５８】
ソフトウェアとの関連性を持つプロセッサは、無線送信受信ユニット（ＷＴＲＵ）、ユーザー装置（ＵＥ）、端末、基地局、無線ネットワークコントローラ（ＲＮＣ）、またはホストコンピュータにおいて使用する無線周波トランシーバを実装するために使用できる。ＷＴＲＵは、カメラ、ビデオカメラモジュール、テレビ電話、スピーカーフォン、バイブレーションデバイス、スピーカー、マイク、テレビトランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤー、メディアプレーヤー、ゲーム機モジュール、インターネットブラウザ、および／または無線ローカルエリアネットワーク（ＷＬＡＮ）モジュールまたはウルトラワイドバンド（ＵＷＢ）モジュールなどの、ハードウェアおよび／またはソフトウェアで実装された、モジュール群と併せて使用できる。
【図１】
2012530470.tif 000008
【図２】
2012530470.tif 000009
【図３】
2012530470.tif 000010
【図４】
2012530470.tif 000011
【図５Ａ】
2012530470.tif 000012
【図５Ｂ】
2012530470.tif 000013
【図５Ｃ】
2012530470.tif 000014
【図５Ｄ】
2012530470.tif 000015
【図６Ａ】
2012530470.tif 000016
【図６Ｂ】
2012530470.tif 000017
【図７】
2012530470.tif 000018
【図８Ａ】
2012530470.tif 000019
【図８Ｂ】
2012530470.tif 000020
【図９Ａ】
2012530470.tif 000021
【図９Ｂ】
2012530470.tif 000022
【図１０】
2012530470.tif 000023
【図１１】
2012530470.tif 000024
【図１２】
2012530470.tif 000025
【図１３】
2012530470.tif 000026
【図１４】
2012530470.tif 000027
【図１５】
2012530470.tif 000028
【図１６】
2012530470.tif 000029
【図１７】
2012530470.tif 000030
【図１８】
2012530470.tif 000031
【図１９】
2012530470.tif 000032
【図２０】
2012530470.tif 000033
【図２１】
2012530470.tif 000034
【図２２】
2012530470.tif 000035
【図２３】
2012530470.tif 000036
【図２４】
2012530470.tif 000037
【図２５】
2012530470.tif 000038
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
ノードにおいて実行される方法であって、
サブフレームの第１のセットを第１のリンク伝送に配分するステップと、
サブフレームの第２のセットを第２のリンク伝送に配分するステップであって、サブフレームの前記第２のセットは、サブフレームの前記第１のセットに関してサブフレームの重なり合わないセットである、ステップと、
前記第１および第２の配分に基づきサブフレームｎにおいてグラント割り当てを送信するステップであって、前記グラント割り当ては、後のサブフレームに対するものである、ステップと
を備えることを特徴とする方法。
【請求項２】
サブフレームの前記第１のセットとサブフレームの前記第２のセットの前記配分は、周期的パターンであり、前記周期的パターンは、５つのサブフレームを含むことを特徴とする請求項１に記載の方法。
【請求項３】
５つのサブフレームの周期的パターンは３つのアクセスリンク伝送サブフレームとその後に続く２つのバックホールリンク伝送サブフレームとを含むことを特徴とする請求項２に記載の方法。
【請求項４】
ＡＣＫ／ＮＡＣＫ（肯定確認応答／否定確認応答）待ち時間を４ミリ秒（ｍｓ）から５ｍｓに修正するステップ
をさらに備えることを特徴とする請求項１に記載の方法。
【請求項５】
サブフレームの第３のセットをｅＮＢ（ｅｖｏｌｖｅｄ  Ｎｏｄｅ−Ｂ）とＷＴＲＵ（ワイヤレス送信／受信ユニット）との間のトラヒックに配分するステップ
をさらに備えることを特徴とする請求項１に記載の方法。
【請求項６】
サブフレームの第４のセットに対し、初期ＷＴＲＵ（ワイヤレス送信／受信ユニット）ＵＬ（アップリンク）グラントを禁じるステップと、
サブフレームが前記バックホールリンク伝送に配分されるという条件の下で、サブフレームｎ＋４においてＡＣＫ／ＮＡＣＫ（肯定確認応答／否定確認応答）フィードバックを送信するステップと、
前記サブフレームが前記バックホールリンク伝送に配分されないという条件の下で、第１の利用可能なバックホールサブフレームにおいてＡＣＫ／ＮＡＣＫフィードバックを送信するステップと
をさらに備えることを特徴とする請求項１に記載の方法。
【請求項７】
前記サブフレームは、サブフレーム２またはサブフレーム３であることを特徴とする請求項６に記載の方法。
【請求項８】
ノードであって、
サブフレームの第１のセットを第１のリンク伝送に配分し、
サブフレームの第２のセットを第２のリンク伝送に配分する
ように構成されるプロセッサであって、サブフレームの前記第２のセットは、サブフレームの前記第１のセットに関してサブフレームの重なり合わないセットである、プロセッサと、
前記第１および第２の配分に基づきサブフレームｎにおいてグラント割り当てを送信するように構成される送信機であって、前記グラント割り当ては、後のサブフレームに対するものである、送信機と
を備えることを特徴とするノード。
【請求項９】
前記グラント割り当ては、ＵＬ（アップリンク）グラント割り当てであることを特徴とする請求項１に記載の方法。
【請求項１０】
前記グラント割り当ては、ＤＬ（ダウンリンク）グラント割り当てであることを特徴とする請求項１に記載の方法。
【国際調査報告】
2012530470.tif 000039
2012530470.tif 000040
2012530470.tif 000041
2012530470.tif 000042
2012530470.tif 000043